(57)【特許請求の範囲】
【請求項１】
マルチサブスクリプションを用いる、ユーザ機器(UE)におけるワイヤレス通信のための方法であって、
マルチサブスクリプション調整能力をネットワークに送信するステップと、
前記マルチサブスクリプション調整能力に少なくとも部分的に基づいて、前記ネットワークとの第1のサブスクリプション用のリンクを確立するステップと、
前記マルチサブスクリプション調整能力に少なくとも部分的に基づき、前記リンクを使って、前記ネットワークとの第2のサブスクリプションを確立するステップであって、前記第1のサブスクリプションは前記第2のサブスクリプションに関連付けられる、ステップとを含み、
前記第1のサブスクリプションはネットワークスライスの第1のセットに関連付けられ、前記第2のサブスクリプションはネットワークスライスの第2のセットに関連付けられ、
特に、ネットワークスライスの前記第1のセットとネットワークスライスの前記第2のセットは異なる、
または、特に、ネットワークスライスの前記第1のセットは第1のシグナリング接続に関連付けられ、ネットワークスライスの前記第2のセットは第2のシグナリング接続に関連付けられる、
または、特に、ネットワークスライスの前記第1のセットは、第1の制御ネットワーク機能(CNF)、ならびに第1のアクセスおよびモビリティ機能(AMF)に関連付けられ、ネットワークスライスの前記第2のセットは、前記第1の制御ネットワーク機能(CNF)とは異なる第2のCNF、および前記第1のAMFとは異なる第2のAMFに関連付けられる、
または、特に、ネットワークスライスの前記第1のセットとネットワークスライスの前記第2のセットは、前記ネットワークおよび前記UEの前記マルチサブスクリプション調整能力に少なくとも部分的に基づいて、共通UE無線周波数(RF)および物理リンクを共有する、
または、前記方法は、
前記第1のサブスクリプションおよび前記第2のサブスクリプションが、同じサービングセルとRRC接続済み状態にあると判断するステップと、
前記判断したことに少なくとも部分的に基づいて、前記同じサービングセルにサブスクリプション関連付け指示を送信するステップとをさらに含む、方法。
【請求項２】
マルチサブスクリプションを用いる、ユーザ機器(UE)におけるワイヤレス通信のための方法であって、
マルチサブスクリプション調整能力をネットワークに送信するステップと、
前記マルチサブスクリプション調整能力に少なくとも部分的に基づいて、前記ネットワークとの第1のサブスクリプション用のリンクを確立するステップと、
前記マルチサブスクリプション調整能力に少なくとも部分的に基づき、前記リンクを使って、前記ネットワークとの第2のサブスクリプションを確立するステップであって、前記第1のサブスクリプションは前記第2のサブスクリプションに関連付けられる、ステップとを含み、
データパケット、RRC接続メッセージ、専用RRCメッセージの情報要素(IE)、またはそれらの組合せのうちの少なくとも1つを使って、前記第1のサブスクリプションにより、前記UEに関連付けられたアイデンティティ情報を前記ネットワークに送信するステップと、
データパケット、RRC接続メッセージ、専用RRCメッセージのIE、またはそれらの組合せのうちの少なくとも1つを使って、前記第2のサブスクリプションにより、前記UEに関連付けられたアイデンティティ情報を前記ネットワークに送信するステップとをさらに含む、
または、前記UEは単一の無線または複数の無線のうちの少なくとも1つに関連付けられ得、
前記方法は、前記UEの前記複数の無線に関連付けられた複数のサブスクリプションのサブスクリプション関連付け情報を前記ネットワークに報告するステップであって、前記複数の無線の各無線は、少なくとも1つのサブスクリプションに関連付けられる、ステップを特にさらに含む、方法。
【請求項３】
物理レイヤでリソースを共有する指示であって、前記UEから受信される前記指示は、少なくとも、同じサービングセルに関連付けられた前記第1のサブスクリプションおよび前記第2のサブスクリプションに関連付けられる、
または、前記マルチサブスクリプション調整能力は、加入者識別モジュール(SIM)、ユニバーサルSIM(USIM)、符号分割多元接続(CDMA)SIM(CSIM)、ユーザ識別モジュール(UIM)、ソフトSIM、証明書、またはそれらの組合せのうちの少なくとも1つを含み、
特に、前記SIMは、一意の加入者識別子(ID)、セキュリティ鍵、1つもしくは複数の追加パラメータ、またはそれらの組合せのうちの少なくとも1つを含む、請求項1または請求項2に記載の方法。
【請求項４】
前記マルチサブスクリプションは、単一の事業者か、またはマルチサブスクリプションが同じセル中の同じUEに関連付けられているという、前記ネットワークへの指示に関連付けられる、
または、前記方法は、
前記第1のサブスクリプションのサービングセルが前記第2のサブスクリプションのサービングセルとは異なると判断するステップと、
前記判断したことに少なくとも部分的に基づいて、前記第2のサブスクリプション用に、前記第1のサブスクリプションの前記サービングセルへのセル再選択をトリガするステップと、
前記セル再選択をトリガしたことに少なくとも部分的に基づいて、前記第2のサブスクリプション用のRRC接続を開始するステップとをさらに含む、請求項1または請求項2に記載の方法。
【請求項５】
ワイヤレス通信のための方法であって、
物理レイヤでリソースを共有する指示をユーザ機器(UE)から受信するステップと、
マルチサブスクリプション調整能力を前記UEから受信するステップと、
サブスクリプション関連付け情報に少なくとも部分的に基づいて、電力ヘッドルーム(PHR)測定、もしくはチャネル状態情報(CSI)測定、もしくはピーク対平均電力比測定、またはそれらの組合せを前記UE用に構成するステップと、
前記PHR測定、もしくは前記CSI測定、もしくは前記ピーク対平均電力比測定、またはそれらの前記組合せの報告を、少なくとも1つのサブスクリプションについて構成するステップとを含む、方法。
【請求項６】
ワイヤレス通信のための方法であって、
物理レイヤでリソースを共有する指示をユーザ機器(UE)から受信するステップと、
マルチサブスクリプション調整能力を前記UEから受信するステップと、
第1のサブスクリプションから、前記UEに関連付けられたアイデンティティ情報を受信するステップと、
第2のサブスクリプションから、前記UEに関連付けられたアイデンティティ情報を受信するステップと、
前記第1のサブスクリプションおよび前記第2のサブスクリプションから受信された前記アイデンティティ情報を比較するステップと、
前記比較したことに少なくとも部分的に基づいて、前記アイデンティティ情報を検証するステップとを含み、
前記方法は、前記第1のサブスクリプションおよび前記第2のサブスクリプションからの前記受信されたアイデンティティ情報を、ホームサブスクリプション契約サーバデータベースに登録された前記UEのアイデンティティと比較するステップを特にさらに含む、方法。
【請求項７】
ワイヤレス通信のための方法であって、
物理レイヤでリソースを共有する指示をユーザ機器(UE)から受信するステップと、
マルチサブスクリプション調整能力を前記UEから受信するステップと、
第1のサブスクリプションが第1のサービングセルと接続されると判断するステップと、
第2のサブスクリプションが第2のサービングセルと接続されると判断するステップと、
前記第1のサービングセルと前記第2のサービングセルが異なると判断するステップと、
前記異なると判断したことに少なくとも部分的に基づいて、前記第2のサブスクリプション用に、前記第1のサービングセルへのセル再選択をトリガするステップとを含み、
特に、前記第2のサブスクリプション用の前記第1のサービングセルへの前記セル再選択は、キャリアアグリゲーション構成、またはデュアル接続性構成、またはマスターセルグループもしくは2次セルグループ構成に少なくとも部分的に基づく、方法。
【請求項８】
ワイヤレス通信のための装置であって、
プロセッサと、
前記プロセッサと電子通信しているメモリとを備え、
前記プロセッサおよびメモリは、
マルチサブスクリプション調整能力をネットワークに送信することと、
前記マルチサブスクリプション調整能力に少なくとも部分的に基づいて、前記ネットワークとの第1のサブスクリプション用のリンクを確立することと、
前記マルチサブスクリプション調整能力に少なくとも部分的に基づき、前記リンクを使って、前記ネットワークとの第2のサブスクリプションを確立することであって、前記第1のサブスクリプションは前記第2のサブスクリプションに関連付けられる、確立することとを行うように構成され、
前記第1のサブスクリプションはネットワークスライスの第1のセットに関連付けられ、
前記第2のサブスクリプションはネットワークスライスの第2のセットに関連付けられる、装置。
【請求項９】
ワイヤレス通信のための装置であって、
プロセッサと、
前記プロセッサと電子通信しているメモリとを備え、
前記プロセッサおよびメモリは、
物理レイヤでリソースを共有する指示をユーザ機器(UE)から受信することと、
マルチサブスクリプション調整能力を前記UEから受信することと、
サブスクリプション関連付け情報に少なくとも部分的に基づいて、電力ヘッドルーム(PHR)測定、もしくはチャネル状態情報(CSI)測定、もしくはピーク対平均電力比測定、またはそれらの組合せを前記UE用に構成することと、
前記PHR測定、もしくは前記CSI測定、もしくは前記ピーク対平均電力比測定、またはそれらの前記組合せの報告を、少なくとも1つのサブスクリプションについて構成することとを行うように構成される、装置。
【請求項１０】
命令を備えたコンピュータプログラムであって、前記命令は、コンピュータ上で実行されると、前記コンピュータに、請求項1から7 のいずれか一項に記載の方法のステップを行わせる、コンピュータプログラム。
【発明の詳細な説明】
【技術分野】
【０００１】
相互参照
本特許出願は、本出願の譲受人に譲渡された、2017年2月2日に出願した、「NETWORK ASSISTED MULTI-SUBSCRIPTION PHYSICAL LAYER SHARING」と題する、Zhuらによる、中国PCT出願第PCT/CN2017/072801号の優先権を主張する。
【０００２】
以下は、一般にワイヤレス通信に関し、より詳細には、ネットワーク支援マルチサブスクリプション物理レイヤ共有に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システムまたは新無線(NR)システム)が含まれる。ワイヤレス多元接続通信システムは、場合によってはユーザ機器(UE)として知られることがある複数の通信デバイスのための通信を各々が同時にサポートする、いくつかの基地局またはアクセスネットワークノードを含み得る。
【０００４】
マルチ加入者識別モジュール(SIM)ワイヤレス通信デバイスは、特にサービスプロバイダが多い国において、それらが提供する多用性のためにますます普及している。たとえば、マルチSIMマルチスタンバイ(MSMS)デバイスは、少なくとも2つのSIMが、通信の開始を待っているアイドルモードにあることを可能にするが、単一の無線周波数(RF)リソース(たとえば、トランシーバ)の共有に起因して、一度に1つのSIMがアクティブな通信に参加することしか許容しない。その結果、あるSIM上でのアクティブ通信中に、ワイヤレスデバイスは、信号を監視するために、または接続を獲得するために、別のSIMに関連付けられたネットワークに定期的に離調する場合がある。
【発明の概要】
【課題を解決するための手段】
【０００５】
記載する技法は、ネットワーク支援マルチサブスクリプション物理レイヤ共有をサポートする、改善された方法、システム、デバイス、または装置に関する。概して、記載する技法は、マルチサブスクリプションを有するUEにおけるワイヤレス通信のための方法を提供する。この方法は、マルチサブスクリプション調整能力をネットワークに送信するステップと、マルチサブスクリプション調整能力に少なくとも部分的に基づいて、ネットワークとの、第1のサブスクリプション用のリンクを確立するステップと、マルチサブスクリプション調整能力に少なくとも部分的に基づき、リンクを使って、ネットワークとの第2のサブスクリプションを確立するステップであって、第1のサブスクリプションは第2のサブスクリプションに関連付けられる、ステップとを含み得る。
【０００６】
単一の無線およびマルチサブスクリプションを用いる、装置におけるワイヤレス通信のための装置について記載する。この装置は、マルチサブスクリプション調整能力をネットワークに送信するための手段と、マルチサブスクリプション調整能力に少なくとも部分的に基づいて、ネットワークとの、第1のサブスクリプション用のリンクを確立するための手段と、マルチサブスクリプション調整能力に少なくとも部分的に基づき、リンクを使って、ネットワークとの第2のサブスクリプションを確立するための手段であって、第1のサブスクリプションは第2のサブスクリプションに関連付けられる、手段とを含み得る。
【０００７】
単一の無線およびマルチサブスクリプションを用いる、装置におけるワイヤレス通信のための別の装置について記載する。この装置は、プロセッサ、プロセッサと電子通信しているメモリを含み得る。プロセッサおよびメモリは、プロセッサに、マルチサブスクリプション調整能力をネットワークに送信することと、マルチサブスクリプション調整能力に少なくとも部分的に基づいて、ネットワークとの、第1のサブスクリプション用のリンクを確立することと、マルチサブスクリプション調整能力に少なくとも部分的に基づき、リンクを使って、ネットワークとの第2のサブスクリプションを確立することであって、第1のサブスクリプションは第2のサブスクリプションに関連付けられる、確立することとを行わせるように構成される。
【０００８】
単一の無線およびマルチサブスクリプションを用いる、UEにおけるワイヤレス通信のための非一時的コンピュータ可読媒体について記載する。非一時的コンピュータ可読媒体は、プロセッサに、マルチサブスクリプション調整能力をネットワークに送信することと、マルチサブスクリプション調整能力に少なくとも部分的に基づいて、ネットワークとの、第1のサブスクリプション用のリンクを確立することと、第1のサブスクリプションが第2のサブスクリプションに関連付けられることを示すマルチサブスクリプション調整能力に少なくとも部分的に基づき、リンクを使って、ネットワークとの第2のサブスクリプションを確立することとを行わせるように動作可能な命令を含み得る。
【０００９】
上述した方法、装置、および非一時的コンピュータ可読媒体のいくつかの例は、マルチサブスクリプション調整能力の一部として物理レイヤ共有能力を備える無線リソース制御(RRC)メッセージをネットワークに送信するためのプロセス、特徴、手段、または命令をさらに含み得る。上述した方法、装置、および非一時的コンピュータ可読媒体のいくつかの例は、マルチサブスクリプション動作についての要求を識別するためのプロセス、特徴、手段、または命令をさらに含んでよく、マルチサブスクリプション調整能力をネットワークに送信することは、識別したことに少なくとも部分的に基づく。
【００１０】
上述した方法、装置、および非一時的コンピュータ可読媒体のいくつかの例では、UEは、少なくとも2つのSIMを有するSIMを含み、少なくとも2つのSIMの各々は、マルチサブスクリプションの少なくとも1つのサブスクリプションに関連付けられる。上述した方法、装置、および非一時的コンピュータ可読媒体のいくつかの例では、マルチサブスクリプションは、単一の事業者、もしくはマルチサブスクリプションが同じセル中の同じUEに関連付けられているという、ネットワークへの指示、または両方に関連付けられる。
【００１１】
上述した方法、装置、および非一時的コンピュータ可読媒体のいくつかの例は、物理レイヤ共有能力指示をマルチサブスクリプションに関連付けるためのプロセス、特徴、手段、または命令をさらに含み得る。上述した方法、装置、および非一時的コンピュータ可読媒体のいくつかの例は、少なくとも2つのSIMの第1のサブスクリプションがRRC接続済み状態にあると判断し、少なくとも2つのSIMの第2のサブスクリプションがRRCアイドル状態にあると判断するためのプロセス、特徴、手段、または命令をさらに含み得る。
【００１２】
上述した方法、装置、および非一時的コンピュータ可読媒体のいくつかの例は、マルチサブスクリプション調整能力に少なくとも部分的に基づいて、第1のサブスクリプションの第1のサービングセルを識別し、マルチサブスクリプション調整能力に少なくとも部分的に基づいて、第2のサブスクリプションの第2のサービングセルを識別するためのプロセス、特徴、手段、または命令をさらに含み得る。
【００１３】
上述した方法、装置、および非一時的コンピュータ可読媒体のいくつかの例は、第1のサブスクリプションの第1のサービングセルが第2のサブスクリプションの第2のサービングセルとは異なると判断し、判断したことに少なくとも部分的に基づいて、第2のサブスクリプション用に、第1のサービングセルへのセル再選択をトリガし、セル再選択をトリガしたことに少なくとも部分的に基づいて、第2のサブスクリプションと第1のサービングセルとの間のRRC接続を開始するためのプロセス、特徴、手段、または命令をさらに含み得る。
【００１４】
上述した方法、装置、および非一時的コンピュータ可読媒体のいくつかの例は、第1のサブスクリプションのサービングセルが第2のサブスクリプションのサービングセルとは異なると判断し、判断したことに少なくとも部分的に基づいて、第2のサブスクリプション用に、第1のサブスクリプションのサービングセルへのセル再選択をトリガし、セル再選択をトリガしたことに少なくとも部分的に基づいて、第2のサブスクリプション用のRRC接続を開始するためのプロセス、特徴、手段、または命令をさらに含み得る。
【００１５】
RRC接続を開始するための、上述した方法、装置、および非一時的コンピュータ可読媒体のいくつかの例は、第2のサブスクリプションに関連付けられたサブスクリプション関連付け情報をネットワークに送信するためのプロセス、特徴、手段、または命令をさらに含み得る。上述した方法、装置、および非一時的コンピュータ可読媒体のいくつかの例は、第1のサブスクリプションと第1のサービングセルとの間の通信リンクを確立するためのプロセス、特徴、手段、または命令をさらに含み得る。
【００１６】
第2のサブスクリプションと第1のサービングセルとの間のRRC接続を開始するための、上述した方法、装置、および非一時的コンピュータ可読媒体のいくつかの例は、第2のサブスクリプションのキャンプされたセルが第1のサービングセルとは異なると判断し、第2のサブスクリプション用のRRC接続セットアップフェーズを開始し、第1のサブスクリプションの無線ネットワーク一時識別子(RNTI)を少なくとも含むRNTIリストに少なくとも部分的に基づいて、第1のサブスクリプションと第2のサブスクリプションとの間のサブスクリプション関連付け情報を第1のサブスクリプションのサービングセルに送信し、物理レイヤ共有および少なくとも1つのマルチサブスクリプションパラメータをもつRRC接続再構成メッセージをサービングセルから受信するためのプロセス、特徴、手段、または命令をさらに含み得る。
【００１７】
上述した方法、装置、および非一時的コンピュータ可読媒体のいくつかの例では、関連付けを送信することは、既存のRRCメッセージ、または接続セットアップ完了メッセージ、または新規RRCメッセージ中の新規情報要素(IE)のうちの少なくとも1つによる。上述した方法、装置、および非一時的コンピュータ可読媒体のいくつかの例は、少なくとも2つのSIMの第2のサブスクリプションがRRC接続済み状態にあると判断するためのプロセス、特徴、手段、または命令をさらに含み得る。
【００１８】
少なくとも2つのSIMの第1のサブスクリプションおよび第2のサブスクリプションがRRC接続済み状態にあると判断するための、上述した方法、装置、および非一時的コンピュータ可読媒体のいくつかの例は、第1のサブスクリプションおよび第2のサブスクリプションが、同じサービングセルとのRRC接続済み状態にあると判断し、判断したことに少なくとも部分的に基づいて、同じサービングセルにサブスクリプション関連付け指示を送信するためのプロセス、特徴、手段、または命令をさらに含み得る。
【００１９】
上述した方法、装置、および非一時的コンピュータ可読媒体のいくつかの例は、データパケット、RRC接続メッセージ、専用RRCメッセージのIE、またはそれらの組合せのうちの少なくとも1つを使って、第1のサブスクリプションにより、UEに関連付けられたアイデンティティ情報をネットワークに送信するためのプロセス、特徴、手段、または命令をさらに含み得る。上述した方法、装置、および非一時的コンピュータ可読媒体のいくつかの例は、データパケット、RRC接続メッセージ、専用RRCメッセージのIE、またはそれらの組合せのうちの少なくとも1つを使って、第2のサブスクリプションにより、UEに関連付けられたアイデンティティ情報をネットワークに送信するためのプロセス、特徴、手段、または命令をさらに含み得る。
【００２０】
上述した方法、装置、および非一時的コンピュータ可読媒体のいくつかの例は、少なくとも1つのサブスクリプションを使って、無線リンク障害(RLF)測定を実施し、実施されたRLF測定に少なくとも部分的に基づいて、RLFを検出し、検出されたRLFに少なくとも部分的に基づいて、少なくとも2つのSIMに関連付けられたサブスクリプションの両方に対してRLF回復を実施するためのプロセス、特徴、手段、または命令をさらに含み得る。
【００２１】
上述した方法、装置、および非一時的コンピュータ可読媒体のいくつかの例では、少なくとも1つのサブスクリプションは、無線リソース管理(RRM)測定を実施するように構成される。上述した方法、装置、および非一時的コンピュータ可読媒体のいくつかの例では、少なくとも1つのサブスクリプションは、チャネル状態情報(CSI)測定を実施するように構成される。上述した方法、装置、および非一時的コンピュータ可読媒体のいくつかの例では、少なくとも1つのサブスクリプションは、電力ヘッドルーム(PHR)測定を実施するように構成される。上述した方法、装置、および非一時的コンピュータ可読媒体のいくつかの例は、サブスクリプション関連付け情報に少なくとも部分的に基づき、少なくとも1つのサブスクリプションを使って、RRM測定、もしくはCSI測定、もしくはPHR測定、もしくはRLF測定、またはそれらの組合せを実施するためのプロセス、特徴、手段、または命令をさらに含み得る。上述した方法、装置、および非一時的コンピュータ可読媒体のいくつかの例では、少なくとも1つのサブスクリプションの両方が、同じまたは異なる送信時間間隔(TTI)を使って測定レポートを送信するように構成される。上述した方法、装置、および非一時的コンピュータ可読媒体のいくつかの例では、測定レポートは、RRM測定、CSI測定、PHR測定、またはそれらの組合せのうちの少なくとも1つを含む。
【００２２】
上述した方法、装置、および非一時的コンピュータ可読媒体のいくつかの例では、スケジュールデータ、制御チャネル、またはそれらの組合せのうちの少なくとも1つは、同じまたは異なるTTIにおいて構成される。上述した方法、装置、および非一時的コンピュータ可読媒体のいくつかの例は、同じTTI中の、サブスクリプション両方による、データまたは制御情報の並行送信を判断し、判断したことに少なくとも部分的に基づいて、UEの電力レベルを構成するためのプロセス、特徴、手段、または命令をさらに含み得る。電力レベルを構成するための、上述した方法、装置、および非一時的コンピュータ可読媒体のいくつかの例は、少なくとも1つのサブスクリプションの両方に送信電力レベルを比例配分するためのプロセス、特徴、手段、または命令をさらに含み得る。
【００２３】
上述した方法、装置、および非一時的コンピュータ可読媒体のいくつかの例では、第1のサブスクリプションはネットワークスライスの第1のセットに関連付けられ、第2のサブスクリプションはネットワークスライスの第2のセットに関連付けられる。上述した方法、装置、および非一時的コンピュータ可読媒体のいくつかの例では、ネットワークスライスの第1のセットとネットワークスライスの第2のセットは異なる。上述した方法、装置、および非一時的コンピュータ可読媒体のいくつかの例では、ネットワークスライスの第1のセットは第1のシグナリング接続に関連付けられ、ネットワークスライスの第2のセットは第2のシグナリング接続に関連付けられる。
【００２４】
上述した方法、装置、および非一時的コンピュータ可読媒体のいくつかの例では、第1のシグナリング接続は第2のシグナリング接続に依存しない。上述した方法、装置、および非一時的コンピュータ可読媒体のいくつかの例では、ネットワークスライスの第1のセットは、第1の制御ネットワーク機能(CNF)、ならびに第1のアクセスおよびモビリティ機能(AMF)に関連付けられる。上述した方法、装置、および非一時的コンピュータ可読媒体のいくつかの例では、ネットワークスライスの第2のセットは、第2のCNFおよび第2のAMFに関連付けられる。
【００２５】
上述した方法、装置、および非一時的コンピュータ可読媒体のいくつかの例では、ネットワークスライスの第1のセットとネットワークスライスの第2のセットは、ネットワークおよびUEのマルチサブスクリプション調整に少なくとも部分的に基づいて、共通UE、RF、および物理リンクを共有する。上述した方法、装置、および非一時的コンピュータ可読媒体のいくつかの例では、ネットワークスライスの第1のセットとネットワークスライスの第2のセットは、共通制御ネットワーク機能(CCNF)を共有する。上述した方法、装置、および非一時的コンピュータ可読媒体のいくつかの例では、共有CCNFは、AMF、シグナリング接続、またはそれらの組合せのうちの少なくとも1つを含む。
【００２６】
上述した方法、装置、および非一時的コンピュータ可読媒体のいくつかの例では、物理レイヤ共有能力指示は、少なくとも、同じサービングセルに関連付けられた第1のサブスクリプションおよび第2のサブスクリプションに関連付けられる。上述した方法、装置、および非一時的コンピュータ可読媒体のいくつかの例では、マルチサブスクリプション調整能力は、SIM、ユニバーサルSIM(USIM)、CDMA SIM(CSIM)、ユーザ識別モジュール(UIM)、ソフトSIM、証明書、またはそれらの組合せのうちの少なくとも1つを含む。
【００２７】
上述した方法、装置、および非一時的コンピュータ可読媒体のいくつかの例では、SIMは、一意の加入者識別子(ID)、セキュリティ鍵、1つもしくは複数の追加パラメータ、またはそれらの組合せのうちの少なくとも1つを含む。上述した方法、装置、および非一時的コンピュータ可読媒体のいくつかの例では、UEは、単一の無線または複数の無線のうちの少なくとも1つに関連付けられ得る。
【００２８】
上述した方法、装置、および非一時的コンピュータ可読媒体のいくつかの例は、UEの複数の無線に関連付けられた複数のサブスクリプションのサブスクリプション関連付け情報をネットワークに報告するためのプロセス、特徴、手段、または命令をさらに含むことができ、複数の無線の各無線は、少なくとも1つのサブスクリプションに関連付けられる。
【００２９】
ワイヤレス通信の方法について記載する。この方法は、物理レイヤ共有能力指示をUEから受信するステップと、マルチサブスクリプション調整能力をUEから受信するステップとを含み得る。
【００３０】
ワイヤレス通信のための装置について記載する。この装置は、物理レイヤ共有能力指示をUEから受信するための手段と、マルチサブスクリプション調整能力をUEから受信するための手段とを含み得る。
【００３１】
ワイヤレス通信のための別の装置について記載する。装置は、プロセッサ、プロセッサと電子通信しているメモリを含み得る。プロセッサおよびメモリは、プロセッサに、物理レイヤ共有能力指示をUEから受信させ、マルチサブスクリプション調整能力をUEから受信させるように構成される。
【００３２】
ワイヤレス通信のための非一時的コンピュータ可読媒体について記載する。非一時的コンピュータ可読媒体は、プロセッサに、物理レイヤ共有能力指示をUEから受信させ、マルチサブスクリプション調整能力をUEから受信させるように動作可能な命令を含み得る。
【００３３】
上述した方法、装置、および非一時的コンピュータ可読媒体のいくつかの例では、物理レイヤ共有能力指示は少なくとも2つの加入者識別モジュール(SIM)に関連付けられ、少なくとも2つのSIMの各々は、マルチサブスクリプションの少なくとも1つのサブスクリプションに関連付けられる。
【００３４】
上述した方法、装置、および非一時的コンピュータ可読媒体のいくつかの例は、PHR測定を構成し、少なくとも1つのサブスクリプションの両方について報告するためのプロセス、特徴、手段、または命令をさらに含み得る。上述した方法、装置、および非一時的コンピュータ可読媒体のいくつかの例は、CSI測定を構成し、少なくとも1つのサブスクリプションの両方について報告するためのプロセス、特徴、手段、または命令をさらに含み得る。上述した方法、装置、および非一時的コンピュータ可読媒体のいくつかの例は、ピーク対平均電力比測定を構成し、少なくとも1つのサブスクリプションの両方について報告するためのプロセス、特徴、手段、または命令をさらに含み得る。
【００３５】
上述した方法、装置、および非一時的コンピュータ可読媒体のいくつかの例は、第1のサブスクリプションから、UEに関連付けられたアイデンティティ情報を受信し、第2のサブスクリプションから、UEに関連付けられたアイデンティティ情報を受信し、第1のサブスクリプションおよび第2のサブスクリプションから受信されたアイデンティティ情報を比較し、比較に少なくとも部分的に基づいて、アイデンティティ情報を検証するためのプロセス、特徴、手段、または命令をさらに含み得る。
【００３６】
上述した方法、装置、および非一時的コンピュータ可読媒体のいくつかの例は、第1のサブスクリプションおよび第2のサブスクリプションからの受信されたアイデンティティ情報を、ホームサブスクリプション契約サーバデータベースに登録されたUEのアイデンティティと比較するためのプロセス、特徴、手段、または命令をさらに含み得る。
【００３７】
上述した方法、装置、および非一時的コンピュータ可読媒体のいくつかの例は、少なくとも2つのSIMの第1のサブスクリプションが第1のサービングセルと接続されると判断し、少なくとも2つのSIMの第2のサブスクリプションが第2のサービングセルと接続されると判断し、第1のサービングセルと第2のサービングセルが異なると判断し、異なると判断したことに少なくとも部分的に基づいて、第2のサブスクリプション用に、第1のサービングセルへのセル再選択をトリガするためのプロセス、特徴、手段、または命令をさらに含み得る。
【００３８】
上述した方法、装置、および非一時的コンピュータ可読媒体のいくつかの例では、第2のサブスクリプション用の、第1のサービングセルへのセル再選択は、キャリアアグリゲーション構成に少なくとも部分的に基づく。上述した方法、装置、および非一時的コンピュータ可読媒体のいくつかの例では、第2のサブスクリプション用の、第1のサービングセルへのセル再選択は、デュアル接続性構成に少なくとも部分的に基づく。上述した方法、装置、および非一時的コンピュータ可読媒体のいくつかの例では、第2のサブスクリプション用の、第1のサービングセルへのセル再選択は、マスターセルグループまたは2次セルグループ構成に少なくとも部分的に基づく。
【図面の簡単な説明】
【００３９】
【図１】本開示の1つまたは複数の態様による、ネットワーク支援マルチサブスクリプション物理レイヤ共有をサポートする、ワイヤレス通信のためのワイヤレス通信システムの例を示す図である。
【図２】本開示の1つまたは複数の態様による、ネットワーク支援マルチサブスクリプション物理レイヤ共有をサポートするワイヤレス通信システムの例を示す図である。
【図３Ａ】本開示の1つまたは複数の態様による、ネットワーク支援マルチサブスクリプション物理レイヤ共有をサポートするワイヤレス通信システムの例を示す図である。
【図３Ｂ】本開示の1つまたは複数の態様による、ネットワーク支援マルチサブスクリプション物理レイヤ共有をサポートするワイヤレス通信システムの例を示す図である。
【図４】本開示の1つまたは複数の態様による、ネットワーク支援マルチサブスクリプション物理レイヤ共有をサポートするプロセスフローの例を示す図である。
【図５】本開示の1つまたは複数の態様による、ネットワーク支援マルチサブスクリプション物理レイヤ共有をサポートするプロセスフローの例を示す図である。
【図６】本開示の1つまたは複数の態様による、ネットワーク支援マルチサブスクリプション物理レイヤ共有をサポートするデバイスのブロック図である。
【図７】本開示の1つまたは複数の態様による、ネットワーク支援マルチサブスクリプション物理レイヤ共有をサポートするデバイスのブロック図である。
【図８】本開示の1つまたは複数の態様による、ネットワーク支援マルチサブスクリプション物理レイヤ共有をサポートするデバイスのブロック図である。
【図９】本開示の1つまたは複数の態様による、ネットワーク支援マルチサブスクリプション物理レイヤ共有をサポートするUEを含むシステムのブロック図である。
【図１０】本開示の1つまたは複数の態様による、ネットワーク支援マルチサブスクリプション物理レイヤ共有をサポートするデバイスのブロック図である。
【図１１】本開示の1つまたは複数の態様による、ネットワーク支援マルチサブスクリプション物理レイヤ共有をサポートするデバイスのブロック図である。
【図１２】本開示の1つまたは複数の態様による、ネットワーク支援マルチサブスクリプション物理レイヤ共有をサポートするデバイスのブロック図である。
【図１３】本開示の1つまたは複数の態様による、ネットワーク支援マルチサブスクリプション物理レイヤ共有をサポートする基地局を含むシステムのブロック図である。
【図１４】本開示の1つまたは複数の態様による、ネットワーク支援マルチサブスクリプション物理レイヤ共有のための方法を示す図である。
【図１５】本開示の1つまたは複数の態様による、ネットワーク支援マルチサブスクリプション物理レイヤ共有のための方法を示す図である。
【図１６】本開示の1つまたは複数の態様による、ネットワーク支援マルチサブスクリプション物理レイヤ共有のための方法を示す図である。
【図１７】本開示の1つまたは複数の態様による、ネットワーク支援マルチサブスクリプション物理レイヤ共有のための方法を示す図である。
【図１８】本開示の1つまたは複数の態様による、ネットワーク支援マルチサブスクリプション物理レイヤ共有のための方法を示す図である。
【図１９】本開示の1つまたは複数の態様による、ネットワーク支援マルチサブスクリプション物理レイヤ共有のための方法を示す図である。
【図２０】本開示の1つまたは複数の態様による、ネットワーク支援マルチサブスクリプション物理レイヤ共有のための方法を示す図である。
【図２１】本開示の1つまたは複数の態様による、ネットワーク支援マルチサブスクリプション物理レイヤ共有のための方法を示す図である。
【発明を実施するための形態】
【００４０】
ネットワーク支援マルチサブスクリプション物理レイヤ共有をサポートする技法について記載する。UEは、ワイヤレス通信システムのいくつかの例では、UEが異なるモバイルネットワークに接続することを可能にする1つまたは複数のSIMを含み得る。マルチSIM UEのさらなる適用および使用が、人口が密集した地理的エリア(たとえば、中国およびそれ以外の国)では、ますます人気になっている。ただし、マルチSIMをサポートするいくつかのUEは、単一無線、すなわち、1Tx/1RxデュアルSIMデュアルスタンバイ(DSDS)である。その結果、UEに関連付けられた複数のSIMのうち、ただ1つのSIMが所与のときにアクティブ状態にあることができる。これは、複数の動作がUE上で並行して実行しようと試みているとき、問題をもたらす。たとえば、あるSIMがボイスコール中の時、別のSIMはアウトオブサービス状態にあることになる。したがって、アウトオブサービス状態SIMへの着信呼は逸失されることになる。いくつかのケースでは、DSDS UEは、並行回路交換および/またはパケット交換データの送信および受信をサポートしない場合がある。たとえば、あるSIMがパケット交換接続モードにあるとき、別のSIMにおけるモバイル発信および/またはモバイル終端呼は、パケット交換接続を遮断することになる。
【００４１】
いくつかの例では、DSDS UEに関連付けられた2つのSIMが、同じサービングセルに接続する。同じサービングセルは、単一のネットワーク事業者に関連付けられ得る。物理レイヤおよびRFリソース共有によるデュアルSIMデュアルアクティブ(DSDA)をサポートするために、UEは、UEの両方のSIMのために、物理ダウンリンク制御チャネルを監視してもよい。いくつかのケースでは、物理レイヤ処理は、両方のSIMの間で共有され得る。代替として、物理レイヤ処理は、両方のSIM用に呼び出されてもよい。ただし、物理レイヤ共有のネットワーク認識がない場合、DSDA UE動作は、ベストエフォートに基づいてサポートされる。たとえば、ネットワークは、負荷最適配分により、2つのSIMを異なるセルにハンドオーバする場合がある。一例では、本明細書に記載する技法は、ネットワークからの支援(すなわち、ネットワーク認識)とともに物理レイヤおよびRFリソース共有によってDSDAをサポートすることができるデュアルSIM UE(すなわち、DSDS UE)を提供する。いくつかの例では、デュアルSIM UEが、物理レイヤ共有能力の指示をネットワーク(たとえば、eノードB)に送信する場合がある。デュアルSIM UEは、マルチサブスクリプション調整能力をネットワークに送信し得る。
【００４２】
いくつかの例では、本明細書に記載する技法は、複数のSIMによる、並行する複数のネットワークスライスをサポートすることができる。ネットワークスライシングは、1つまたは複数のサービスが、専用ネットワークスライス(たとえば、無線アクセスネットワーク(RAN)部分および/またはコアネットワーク(CN)部分)を介して稼働することを可能にし得る。たとえば、専用ネットワークスライスは、マシンタイプ通信(MTC)ネットワークスライスにおけるMTC、モバイルブロードバンド(MBB)ネットワークスライスにおけるMBBなどを含み得る。いくつかのケースでは、UEは、ネットワークスライスの2つのセットを並列に稼働する必要があり得る。たとえば、UEが、2つのネットワークスライス(たとえば、MTCおよびMBB)を並列に稼働する必要がある場合、UEは、2つのネットワークスライスの間でリソースを割り振り、たとえば、同じCCNFを共有してもよい。ネットワークスライスのセットは、1つまたは複数のネットワークスライスも含み得る。CCNFは、いくつかの例では、少なくともAMFおよびシグナリング接続を含み得る。ただし、いくつかのケースでは、この共有は、リソース割振りのための複雑さを増す場合があり、サービス特有の修正におけるネットワークスライシングのいくつかの利益を犠牲にする場合がある。いくつかの例では、UEの複数のSIMによって複数のネットワークスライスをサポートすることによって、この共有問題を回避することができる。たとえば、非依存シグナリング接続および非依存CCNF/AMFを用いて、2つのSIM上で2つのスライスが稼働しているシナリオにおいてである。その結果、この非依存シグナリングおよび接続は、異なるネットワークスライスが、対応するSIMのサービスおよび動作に異なる修正を適用することを可能にし得る。本開示は、ネットワーク支援マルチサブスクリプション物理レイヤ共有などの特徴をサポートするように設計されている次世代ネットワーク(たとえば、5GまたはNRネットワーク)に関する様々な技法についても記載する。
【００４３】
本開示の態様について、初めにワイヤレス通信システムのコンテキストにおいて説明する。例示的なUE、基地局(たとえば、eノードB(eNB)、gノードB(gNB))、システム、およびネットワーク支援マルチサブスクリプション物理レイヤ共有をサポートするプロセスフローについて、次いで記載する。本開示の態様が、ネットワーク支援マルチサブスクリプション物理レイヤ共有に関する装置図、システム図、およびフローチャートによってさらに図示され、それらを参照して記載される。
【００４４】
図1は、本開示の1つまたは複数の態様による、ネットワーク支援マルチサブスクリプション物理レイヤ共有をサポートする、ワイヤレス通信のためのワイヤレス通信システム100の例を示す。ワイヤレス通信システム100は、ネットワークアクセスデバイス105(たとえば、gNB、および/または無線ヘッド(RH))、UE115、およびCN130を含み得る。いくつかの例では、ワイヤレス通信システム100は、LTE(もしくは、LTEアドバンスト)ネットワーク、またはNRネットワークであり得る。いくつかのケースでは、ワイヤレス通信システム100は、拡張ブロードバンド通信、超高信頼(すなわち、ミッションクリティカル)通信、低レイテンシ通信、および低コストで低複雑度のデバイスとの通信をサポートし得る。
【００４５】
ワイヤレス通信システム100は、ネットワーク(すなわち、gNB105-aまたはCN130)の支援によって物理レイヤおよびRFリソース共有によってサポートされ得るデュアルSIM UE(すなわち、DSDS UE)を提供し得る。いくつかの例では、デュアルSIM UEが、物理レイヤ共有能力の指示をネットワークに送信する場合がある。デュアルSIM UEは、マルチサブスクリプション調整能力をネットワークに送信し得る。いくつかのケースでは、デュアルSIM UEは、SIMの各々に関連付けられたネットワークスライスのセットを有し得る。追加または代替として、いくつかのUEが、マルチSIMをサポートし得るが、単一の無線、すなわち、1Tx/1Rx DSDSであり得る。代替として、いくつかのUEは、マルチSIMをサポートすることもでき、複数の無線を有し得る。たとえば、UE115は、3つのSIMをサポートし、デュアル無線、すなわち、2Tx/2Rxを有し得る。いくつかのケースでは、複数のSIMのサブセット(たとえば、3つのサポートされるSIMのうちの2つ)が、物理レイヤ共有に関連付けられ得る。ただし、いくつかの例では、ネットワークは、依然として、UEによってサポートされるSIMすべてを認識する必要があり得る。物理レイヤ共有は、同じ無線(たとえば、Tx/Rx)、UEに関連付けられた異なる無線を共有する複数のSIMに関連付けられ得る。
【００４６】
UE115は、いくつかの例では、マルチサブスクリプション契約関連付け情報をネットワークに送信することもできる。マルチサブスクリプション契約関連付け情報は、同じUE(たとえば、UE115)に属す複数のサブスクリプション契約をネットワークに知らせ得る。いくつかの例では、マルチサブスクリプション契約関連付け情報は、UE115によって、たとえば、IE、またはRRCメッセージなどの中で報告され得る。いくつかのケースでは、ネットワークは、ネットワークによるネットワーク支援物理レイヤ共有をサポートするために物理レイヤを共有する1つまたは複数のSIMを認識する必要があり得る。代替として、いくつかのケースでは、マルチサブスクリプション契約関連付けは、物理レイヤ共有を有する必要がない場合がある。たとえば、UE115シグナリングのマルチサブスクリプション契約関連付け報告は、物理レイヤ共有に依存しなくてよい。ネットワーク支援物理レイヤ共有は、ワイヤレス通信システム100では、ネットワークが同じセル(たとえば、サービングセル、gNB105-a)中で複数のSIMを維持するためのものである。マルチSIM UEのネットワーク認識および物理レイヤ共有がない場合、ネットワークは、UEの2つ以上のSIMを異なるセルにハンドオーバし得る。
【００４７】
CN130は、ユーザ認証、アクセス許可、追跡、インターネットプロトコル(IP)接続、および他のアクセス機能、ルーティング機能、またはモビリティ機能を提供し得る。ネットワークアクセスデバイス105(たとえば、eNB、gNB、またはアクセスノードコントローラ(ANC)105-b)のうちの少なくともいくつかは、バックホールリンク132(たとえば、S1、S2など)を通してCN130とインターフェースすることができ、UE115との通信のための無線構成およびスケジューリングを実施し得る。様々な例では、ANC105-bは、ワイヤードまたはワイヤレス通信リンクであり得るバックホールリンク134(たとえば、X1、X2など)を通して、直接または間接的に(たとえば、CN130を通して)のいずれかで、互いに通信することができる。各ANC105-bは、追加または代替として、いくつかのスマート無線ヘッド(無線ヘッド)105-cを通していくつかのUE115と通信し得る。ワイヤレス通信システム100の代替構成では、ANC105-bの機能性は、無線ヘッド105-cによって提供されるか、またはgNB105-aの無線ヘッド105-cにわたって分散され得る。ワイヤレス通信システム100の別の代替構成では、無線ヘッド105-cは基地局と置き換えられることがあり、ANC105-bは基地局コントローラ(またはCN130へのリンク)と置き換えられることがある。
【００４８】
ANC105-bは、各無線ヘッド105-cが1つまたは複数のアンテナを有して、1つまたは複数の無線ヘッド105-cを介してUE115とワイヤレス通信し得る。無線ヘッド105-cの各々は、それぞれの地理的カバレージエリア110に通信カバレージを提供し得る。無線ヘッド105-cのための地理的カバレージエリア110は、カバレージエリアの一部分のみを構成するセクタ(図示せず)に分割され得る。いくつかの例では、ネットワークアクセスデバイス105は、トランシーバ基地局、無線基地局、アクセスポイント、無線トランシーバ、gNB、eNB、ホームノードB、ホームgNBなどの、代替のネットワークアクセスデバイスと置き換えられてよい。ワイヤレス通信システム100は、様々なタイプ(たとえば、マクロセルネットワークアクセスデバイスおよび/またはスモールセルネットワークアクセスデバイス)の無線ヘッド105-c(または、基地局もしくは他のネットワークアクセスデバイス)を含み得る。無線ヘッド105-cまたは他のネットワークアクセスデバイスの1つまたは複数の地理学的カバレージエリア110は、重複する場合がある。いくつかの例では、異なるgNB105-aは、異なる無線アクセス技術に関連してよい。
【００４９】
いくつかの例では、ワイヤレス通信システム100は、5Gネットワークを含み得る。他の例では、ワイヤレス通信システム100は、LTE/LTE-Aネットワークを含み得る。ワイヤレス通信システム100は、場合によっては、異なるタイプのeNBまたはgNBが様々な地理的領域にカバレージを提供する異種ネットワークであり得る。たとえば、各eNB、gNB、またはRHは、マクロセル、スモールセル、および/または他のタイプのセルに通信カバレージを提供し得る。「セル」という用語は、コンテキストに応じて、基地局、無線ヘッド、基地局もしくは無線ヘッドに関連付けられたキャリアもしくはコンポーネントキャリア、またはキャリアもしくは基地局のカバレージエリア(たとえば、セクタなど)を表すために使用され得る3GPP用語である。
【００５０】
マクロセルは、比較的大きい地理的エリア(たとえば、半径数キロメートル)をカバーすることができ、ネットワークプロバイダのサービスに加入しているUE115による無制限アクセスを可能にできる。スモールセルは、マクロセルと比較すると低電力無線ヘッドまたは基地局を含んでよく、マクロセルと同じまたは異なる周波数帯域において動作してよい。スモールセルは、様々な例による、ピコセル、フェムトセル、およびマイクロセルを含み得る。ピコセルは、比較的小さい地理的エリアをカバーすることがあり、サービスに加入しているUE115によるネットワークプロバイダとの無制限アクセスを可能にし得る。フェムトセルは、追加または代替として、比較的小さい地理的エリア(たとえば、自宅)をカバーすることができ、フェムトセルとの関連付けを有するUE115(たとえば、クローズドサブスクライバグループ(CSG)の中のUE、自宅の中のユーザ用のUEなど)による制限付きアクセスを提供し得る。マクロセルのためのgNBは、マクロgNBと呼ばれることがある。スモールセルのためのgNBは、スモールセルgNB、ピコgNB、フェムトgNB、またはホームgNBと呼ばれることがある。gNBは、1つまたは複数の(たとえば、2つ、3つ、4つなどの)セル(たとえば、コンポーネントキャリア)をサポートし得る。
【００５１】
ワイヤレス通信システム100は、同期動作または非同期動作をサポートし得る。同期動作の場合、gNB105-aおよび/または無線ヘッド105-cは、同様のフレームタイミングを有し得、異なるgNB105-aおよび/または無線ヘッド105-cからの送信は、時間的にほぼ位置合わせされ得る。非同期動作の場合、gNB105-aおよび/または無線ヘッド105-cは、異なるフレームタイミングを有し得、異なるgNB105-aおよび/または無線ヘッド105-cからの送信は、時間的に位置合わせされないことがある。本明細書で説明される技法は、同期動作または非同期動作のいずれでも使用され得る。
【００５２】
開示する様々な例のうちのいくつかに適応し得る通信ネットワークは、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、いくつかのケースでは、論理チャネルを介して通信するために、パケットのセグメント化および再アセンブリを実施してよい。媒体アクセス制御(MAC)レイヤは、優先順位処理と、トランスポートチャネルへの論理チャネルの多重化とを実施し得る。MACレイヤは、加えて、または代わりに、リンク効率を改善するようにMACレイヤにおける再送信を行うために、ハイブリッドARQ(HARQ)を使用し得る。制御プレーンでは、RRCプロトコルレイヤが、ユーザプレーンデータのための無線ベアラをサポートする、UE115と無線ヘッド105-c、ANC105-b、またはCN130との間のRRC接続の確立、構成、および保守を行い得る。物理(PHY)レイヤにおいて、トランスポートチャネルが物理チャネルにマッピングされ得る。
【００５３】
UE115は、ワイヤレス通信システム100全体にわたって分散されてよく、各UE115は固定または移動であり得る。UE115は、追加または代替として、移動局、サブスクリプション契約局、モバイルユニット、サブスクリプション契約ユニット、ワイヤレスユニット、リモートユニット、モバイルデバイス、ワイヤレスデバイス、ワイヤレス通信デバイス、リモートデバイス、モバイルサブスクリプション契約局、アクセス端末、モバイル端末、ワイヤレス端末、リモート端末、ハンドセット、ユーザエージェント、モバイルクライアント、クライアント、もしくは何らかの他の好適な用語を含むことがあり、または当業者によってそのように呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、IoEデバイスなどであってよい。UEは、マクロgNB、スモールセルgNB、中継基地局などを含む、様々なタイプのgNB105-a、無線ヘッド105-c、基地局、アクセスポイント、または他のネットワークアクセスデバイスと通信することが可能であり得る。UEは、追加または代替として、(たとえば、ピアツーピア(P2P)プロトコルを使用して)他のUEと直接通信できる場合がある。
【００５４】
ワイヤレス通信システム100に示す通信リンク125は、UE115から無線ヘッド105-cへのアップリンク(UL)チャネル、および/または無線ヘッド105-cからUE115へのダウンリンク(DL)チャネルを含み得る。ダウンリンクチャネルは、追加または代替として、順方向リンクチャネルと呼ばれることがあり、アップリンクチャネルは、追加または代替として、逆方向リンクチャネルと呼ばれることがある。制御情報およびデータは、様々な技法に従ってアップリンクチャネル上またはダウンリンクチャネル上で多重化され得る。制御情報およびデータは、たとえば、時分割多重化(TDM)技法、周波数分割多重化(FDM)技法、またはハイブリッドTDM-FDM技法(たとえば、図3〜図8を参照しながら説明するような)を使用して、ダウンリンクチャネル上で多重化され得る。いくつかの例では、ダウンリンクチャネルのTTIまたはスロットの間に送信される制御情報は、異なる制御領域の間で(たとえば、共通制御領域と1つまたは複数のUE固有制御領域との間で)カスケード方式で分散されてよい。
【００５５】
gNB105-aのうちの1つまたは複数がネットワーク通信マネージャ101を含むことができ、これは、ネットワーク支援マルチサブスクリプション物理レイヤ共有を提供し得る。いくつかの例では、ネットワーク通信マネージャ101は、物理レイヤ共有能力指示をUE115から受信し得る。ネットワーク通信マネージャは、追加または代替として、マルチサブスクリプション調整能力をUE115から受信し得る。物理レイヤ共有能力指示は、少なくとも2つのSIMに関連付けられる。ネットワーク通信マネージャ101は、図13を参照して説明される基地局通信マネージャ1315の例であり得る。
【００５６】
UE115はUE通信マネージャ102を含むことができ、これは、UE115の1つまたは複数の無線を介して、1つまたは複数のgNB105-aに物理レイヤ共有能力指示を送信し得る。UE通信マネージャ102は、追加または代替として、1つまたは複数のgNB105-aにマルチサブスクリプション調整能力を送信し得る。いくつかの例では、マルチサブスクリプションは、送信された物理レイヤ共有能力指示およびマルチサブスクリプション調整能力に基づいて、並行してアクティブ状態にあることが可能であり得る。UE通信マネージャ102は、図9を参照して説明されるUE通信マネージャ915の例であり得る。本明細書に記載する技法はデュアルSIMに基づくが、本開示は、同じ機構をもつ、2つより多いSIMにも適用可能である。本明細書におけるSIMは、SIM、USIM、CSIM、UIM、ソフトSIM、証明書、またはそれらの組合せのうちの少なくとも1つを含み得る。本明細書で使用するように、SIMは、集積回路であるか、または取り外し可能カードに埋め込まれ得るメモリであって、IMSI、関連鍵、ならびに/またはネットワーク上のUE115を識別および/もしくは認証するのに使われる他の情報を記憶し、ネットワークとの通信サービスを可能にするメモリと互換的に呼ばれてもよい。
【００５７】
いくつかの例では、電源オンに応答して、UE115は、通信サービスをUE115がそこから受信し、識別し得るワイヤレスネットワークを探索し得る。UE115は、識別されたネットワーク(たとえば、サービングネットワークgNB105-a)に対して登録プロセスを実施することもでき、UE115は、識別されたネットワークとアクティブに通信するために接続モードで動作し得る。代替として、UE115は、アクティブな通信セッションがUE115向けに利用可能でない場合、アイドルモードで動作し、サービングネットワークにキャンプオンすることができる。アイドルモードでは、UE115は、利用可能サービングセルをUE115が見つけることが可能なすべての無線アクセス技術(RAT)を識別し得る。
【００５８】
各通信リンク125は、1つまたは複数のキャリアを含み得、ここで、各キャリアは、1つまたは複数の無線アクセス技術に従って変調された複数のサブキャリア(たとえば、異なる周波数の波形信号)から構成された信号であり得る。各被変調信号は、異なるサブキャリア上で送られてよく、制御情報(たとえば、基準信号、制御チャネルなど)、オーバーヘッド情報、ユーザデータなどを搬送し得る。通信リンク125は、(たとえば、ペアにされたスペクトルリソースを使用する)周波数分割複信(FDD)技法または(たとえば、ペアにされていないスペクトルリソースを使用する)時分割複信(TDD)技法を使用して、双方向通信を送信し得る。FDDのためのフレーム構造(たとえば、フレーム構造タイプ1)およびTDDのためのフレーム構造(たとえば、フレーム構造タイプ2)が定義され得る。
【００５９】
ワイヤレス通信システム100のいくつかの例では、無線ヘッド105-cおよび/またはUE115は、無線ヘッド105-cとUE115との間の通信品質および信頼性を改善するために、アンテナダイバーシティ方式を採用するための複数のアンテナを含み得る。追加または代替として、無線ヘッド105-cおよび/またはUE115は、マルチパス環境を利用して、同じかまたは異なるコード化データを搬送する複数の空間レイヤを送信し得る、多入力多出力(MIMO)技法を採用し得る。
【００６０】
ワイヤレス通信システム100は、複数のセル上またはキャリア上での動作、すなわち、キャリアアグリゲーション(CA)またはマルチキャリア動作と呼ばれることがある特徴をサポートし得る。キャリアは、追加または代替として、コンポーネントキャリア(CC)、レイヤ、チャネルなどと呼ばれることがある。「キャリア」、「コンポーネントキャリア」、「セル」、および「チャネル」という用語は、本明細書で互換的に使用され得る。UE115は、キャリアアグリゲーションのために、複数のダウンリンクCCおよび1つまたは複数のアップリンクCCを用いて構成され得る。キャリアアグリゲーションは、FDDコンポーネントキャリアとTDDコンポーネントキャリアの両方とともに使用され得る。
【００６１】
いくつかのケースでは、UE115はまた、(たとえば、ピアツーピア(P2P)またはデバイスツーデバイス(D2D)プロトコルを使用して)他のUEと直接通信することが可能であり得る。D2D通信を利用するUE115のグループのうちの1つまたは複数は、セルの地理的カバレージエリア110内にあり得る。そのようなグループ内の他のUE115は、セルの地理的カバレージエリア110の外にあるか、またはそうでなければネットワークアクセスデバイス105からの送信を受信できない場合がある。いくつかのケースでは、D2D通信を介して通信するUE115のグループは、各UE115がグループの中の1つ1つの他のUE115に送信する1対多(1:M)システムを使用し得る。いくつかのケースでは、ネットワークアクセスデバイス105は、D2D通信のためのリソースのスケジューリングを容易にする。他のケースでは、D2D通信は、ネットワークアクセスデバイス105とは無関係に実践される。
【００６２】
MTCまたはIoTデバイスなどのいくつかのUE115は、低コストまたは低複雑度のデバイスであることがあり、機械間の自動化された通信、すなわちマシンツーマシン(M2M)通信を提供し得る。M2MまたはMTCは、人が介在することなく、デバイスが互いとまたは基地局と通信することを可能するデータ通信技術を指す場合がある。たとえば、M2MまたはMTCは、センサーまたはメーターを組み込んで情報を測定またはキャプチャし、その情報を利用することができる中央サーバまたはアプリケーションプログラムにその情報を中継するか、またはプログラムもしくはアプリケーションと対話する人間に情報を提示するデバイスからの通信を指すことがある。いくつかのUE115は、情報を収集するように、または機械の自動化された動作を可能にするように設計され得る。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００６３】
いくつかのケースでは、MTCデバイスは、低減されたピークレートで半二重(一方向)通信を使用して動作し得る。MTCデバイスはまた、アクティブ通信に関与していないとき、電力節約「ディープスリープ」モードに入るように構成され得る。いくつかのケースでは、MTCまたはIoTデバイスはミッションクリティカル機能をサポートするように設計されることがあり、ワイヤレス通信システムはこれらの機能のために超高信頼性通信を提供するように構成されることがある。
【００６４】
ネットワークアクセスデバイス105は、CN130へのS1インターフェースによって接続され得る。CNは発展型パケットコア(EPC)であってよく、発展型パケットコアは、少なくとも1つのMME、少なくとも1つのS-GW、および少なくとも1つのP-GWを含み得る。モビリティ管理エンティティ(MME)は、UE115とEPCとの間のシグナリングを処理する制御ノードであり得る。すべてのユーザIPパケットは、それ自体がP-GWに接続され得るS-GWを通して転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、およびパケット交換(PS)ストリーミングサービス(PSS)を含み得る。
【００６５】
CN130は、ユーザ認証、アクセス許可、追跡、インターネットプロトコル(IP)接続、および他のアクセス機能、ルーティング機能、またはモビリティ機能を提供し得る。gNB105-aなど、ネットワークデバイスのうちの少なくともいくつかは、アクセスネットワークエンティティ105-bなどのサブコンポーネントを含むことができ、アクセスネットワークエンティティ105-bはアクセスノードコントローラ(ANC)の例であり得る。各アクセスネットワークエンティティ105-bは、いくつかの他のアクセスネットワーク送信エンティティ105-cを通していくつかのUE115と通信することができ、アクセスネットワーク送信エンティティ105-cの各々は、スマート無線ヘッドまたは送信/受信ポイント(TRP)の例であり得る。
【００６６】
ワイヤレス通信システム100は、UE115とネットワークアクセスデバイス105との間のミリメートル波(mmW)通信をサポートすることができる。mmWまたは極高周波(EHF)帯域において動作するデバイスは、ビームフォーミングを可能にするために複数のアンテナを有し得る。すなわち、ネットワークアクセスデバイス105は、複数のアンテナまたはアンテナアレイを使用して、UE115との指向性通信のためのビームフォーミング動作を行うことができる。ビームフォーミング(空間フィルタリングまたは指向性送信と呼ばれることもある)は、アンテナビーム全体を形作り、かつ/またはターゲット受信機(たとえば、UE115)の方向にステアリングするために、送信機(たとえば、ネットワークアクセスデバイス105)において使用され得る信号処理技法である。これは、特定の角度における送信信号が強め合う干渉を受ける一方で、他の角度における送信信号が弱め合う干渉を受けるように、アンテナアレイ内の要素を組み合わせることによって達成され得る。
【００６７】
多入力多出力(MIMO)ワイヤレスシステムは、送信機(たとえば、基地局)と受信機(たとえば、UE)との間の送信方式を使用し、送信機と受信機の両方は、複数のアンテナが装備される。ワイヤレス通信システム100のいくつかの部分は、ビームフォーミングを使用することができる。たとえば、ネットワークアクセスデバイス105は、基地局105がUE115とのその通信においてビームフォーミングのために使用し得るアンテナポートのいくつかの行および列を有するアンテナアレイを有し得る。信号は、異なる方向において複数回送信され得る(たとえば、各送信は、異なるようにビームフォーミングされ得る)。mmW受信機(たとえば、UE115)は、同期信号を受信しながら、複数のビーム(たとえば、アンテナサブアレイ)を試みることができる。
【００６８】
いくつかのケースでは、ネットワークアクセスデバイス105またはUE115のアンテナは、ビームフォーミングまたはMIMO動作をサポートし得る1つまたは複数のアンテナアレイ内に位置し得る。1つまたは複数の基地局アンテナまたはアンテナアレイは、アンテナタワーなどのアンテナアセンブリにおいて併置され得る。いくつかのケースでは、ネットワークアクセスデバイス105と関連付けられるアンテナまたはアンテナアレイは、多様な地理的位置に位置し得る。ネットワークアクセスデバイス105は、UE115との指向性通信のためのビームフォーミング動作を行うために、複数のアンテナまたはアンテナアレイを使い得る。
【００６９】
いくつかのケースでは、ワイヤレス通信システム100は、認可および無認可RFスペクトル帯域の両方を使用し得る。たとえば、ワイヤレス通信システム100は、5GHz産業、科学、および医療(ISM)帯域などの無認可帯域においてLTEライセンス補助アクセス(LTE-LAA)もしくはLTE無認可(LTE U)無線アクセス技術またはNR技術を利用することができる。無認可RFスペクトル帯域において動作するとき、ネットワークアクセスデバイス105およびUE115などのワイヤレスデバイスは、データを送信する前にチャネルがクリアであることを保証するためにリッスンビフォアトーク(LBT)手順を利用し得る。いくつかのケースでは、無認可帯域の中での動作は、認可帯域の中で動作するコンポーネントキャリア(CC)と結合したキャリアアグリゲーション(CA)構成に基づいてよい。無認可スペクトルにおける動作は、ダウンリンク送信、アップリンク送信、または両方を含み得る。
【００７０】
図2は、本開示の1つまたは複数の態様による、ネットワーク支援マルチサブスクリプション物理レイヤ共有をサポートするワイヤレス通信システム200の例を示す。ワイヤレス通信システム200は、図1を参照して説明した対応するデバイスの例であり得る、基地局(たとえば、gNB)105-b、ならびにUE115-aおよびUE115-bを含み得る。基地局105-b、UE115-a、およびUE115-bは、通信リンク210を介して通信し得る。いくつかの例では、基地局105-bとUE115-aは、直接通信し得る。代替として、基地局105-bとUE115-aは、中継デバイス(たとえば、UE115-b)を介して通信し得る。
【００７１】
基地局105-b、UE115-a、およびUE115-bは、それぞれ、ネットワーク通信マネージャ201、UE通信マネージャ202、およびUE通信マネージャ203を含み得る。いくつかの例では、UE通信マネージャ202は、物理レイヤ共有能力指示を、基地局105-bに直接送信し得る。UE通信マネージャ202は、同じくまたは代替として、マルチサブスクリプション調整能力を、基地局105-bに直接送信し得る。代替として、UE通信マネージャ202は、物理レイヤ共有能力指示およびマルチサブスクリプション調整能力を、通信リンク210を使って、UE115-bを介して基地局105-bに間接的に送信し得る。UE通信マネージャ203は、UE通信マネージャ202と同様の動作を実施し得る。たとえば、UE通信マネージャ203は、物理レイヤ共有能力指示およびマルチサブスクリプション調整能力を、通信リンク210を介して基地局105-bに直接に送信し得る。ネットワーク通信マネージャ201は、UE115-aおよび/またはUE115-bから物理レイヤ共有能力指示を受信し得る。いくつかの例では、ネットワーク通信マネージャ201は、UE115-aおよび/またはUE115-bからマルチサブスクリプション調整能力を受信し得る。
【００７２】
いくつかのケースでは、物理レイヤ共有能力は、UE通信マネージャ202またはUE通信マネージャ203によって、RRCメッセージ中で送信され得る。UE通信マネージャ202またはUE通信マネージャ203は、マルチサブスクリプション動作についての要求を識別し得る。いくつかの例では、UE通信マネージャ202またはUE通信マネージャ203は、要求に基づいて、マルチサブスクリプション調整能力を基地局105-bに送信し得る。UE通信マネージャ202および/またはUE通信マネージャ203は、マルチSIMに関連付けられ得る。マルチSIMは、共有および/または非共有RFリソースに関連付けられた少なくとも2つのSIMを含み得る。マルチSIMは、追加または代替として、少なくとも1つのサブスクリプションに各々が関連付けられた少なくとも2つのSIMを含み得る。少なくとも1つのサブスクリプションは、複数のサブスクリプションに関連付けられ得る。いくつかの例では、マルチSIMは、単一の事業者(たとえば、基地局105-b)に関連付けられ得る。UE115-aおよび/またはUE115-b上の複数のSIMが同じ事業者に属すとき、物理的共有は、複数のSIMが同じセルにキャンプ/接続することを強制し得る。リソース周波数および物理レイヤは複数のSIMによって共有され得るが、MACおよび上位レイヤは分離される。物理レイヤ送信機処理のために、複数のSIMからのシンボルは、さらなる処理および送信のために同じ逆高速フーリエ変換(IFFT)へと向けられ得る。物理的受信機処理のために、同じ高速フーリエ変換(FFT)からのシンボルは、複数のSIMに分離され得る。
【００７３】
いくつかの例では、SIM比較および相関オプションが、UEレベル相関に適用可能であり得る。たとえば、UE115-aおよびUE115-bは各々、サブスクリプションに関連付けられた1つのSIMを含むことができ、UE115-aおよびUE115-bは各々、またはUE115のうちの少なくとも1つが、物理レイヤ共有能力を報告せずにSIM/サブスクリプション相関を報告し得る。いくつかの例では、UE115-aおよびUE115-bはD2Dで通信することができ、UEのうちの少なくとも1つは、中継デバイスとして作用する。この場合、基地局105-bは、UE115-aおよびUE115-bが同じセルに属すことを基地局105-bに示し得る、UE115-aおよび/またはUE115-bがD2Dで通信しているという指示に基づいて、UE115-aとUE115-bとの間の通信を効果的に管理することができる。
【００７４】
マルチSIM動作が必要とされるとき、UE115-aおよび/またはUE115-bは、SIMグループまたはSIM関連付け情報(すなわち、サブスクリプション関連付け情報)を基地局105-bに示してもよい。いくつかの例では、UE通信マネージャ202および/またはUE通信マネージャ203は、少なくとも2つのSIMのうちの第1のSIMの第1のサブスクリプションがRRC接続済み状態にあると判断し得る。UE通信マネージャ202および/またはUE通信マネージャ203は、少なくとも2つのSIMのうちの第2のSIMの第2のサブスクリプションがRRCアイドル状態にあると判断し得る。UE通信マネージャ202および/またはUE通信マネージャ203は次いで、マルチサブスクリプション調整能力に基づいて、第1のSIMの第1のサブスクリプションの第1のサービングセルを識別し得る。たとえば、UE通信マネージャ202および/またはUE通信マネージャ203は、基地局105-bが、UE115-aおよび/またはUE115-bの第1のSIMの第1のサブスクリプションのサービングセルであることを識別し得る。追加として、UE通信マネージャ202および/またはUE通信マネージャ203は、マルチサブスクリプション調整能力に基づいて、第2のSIMの第2のサブスクリプションの第2のサービングセルを識別し得る。たとえば、UE通信マネージャ202および/またはUE通信マネージャ203は、異なる基地局(図示せず)がUE115-aおよび/またはUE115-bの第2のSIMのサービングセルであることを識別し得る。
【００７５】
UE通信マネージャ202および/またはUE通信マネージャ203は、第1のSIMの第1のサブスクリプションの第1のサービングセルが、第2のSIMの第2のサブスクリプションの第2のサービングセルとは異なると判断し、第2のSIMの第2のサブスクリプションのために、第1のサービングセルへのセル再選択をトリガし得る。その結果、UE115-aまたはUE115-bは、RRCアイドル状態SIMを、RRC接続済み状態SIMと同じセルに、2つのSIMが異なるセル中にある場合は再選択してもよい。いくつかの例では、セル再選択は、UE115-aおよび/またはUE115-bのUE通信マネージャ202および/またはUE通信マネージャ203が、第2のSIMと第1のSIM(たとえば、基地局105-a)のサービングセルとの間のRRC接続を開始することを含み得る。UE115-aおよび/またはUE115-bは、RRC接続を開始し、SIM関連付けを基地局105-aに示してもよい。いくつかのケースでは、UE115-aおよび/またはUE115-bの第1のSIMおよび第2のSIMは両方とも、同じセル(たとえば、基地局105-b)中でRRC接続済み状態にあり得る。その結果、UE115-aおよび/またはUE115-bは、SIM関連付けを基地局105-bに示すことができる。
【００７６】
いくつかの例では、UE115-aおよび/またはUE115-bは、RNTIリストによって、SIM関連付け情報をサービングセルに示すことができる。いくつかの例では、第1のSIMの第1のサブスクリプションは、基地局105-aに接続されてよく、基地局105-bにとって一意のRNTI、たとえば、C-RNTIを割り当てられてよい。たとえば、UE通信マネージャ202および/またはUE通信マネージャ203は、UE115-aおよび/またはUE115-bの第1のSIMと、基地局105-bとの間の通信リンクを確立することができる。通信リンクが確立された後、または確立フェーズ中に、UE115-aおよび/またはUE115-bの第1のSIMには、基地局105-bに関連付けられたRNTIが割り当てられ得る。いくつかの例では、ネットワーク通信マネージャ201は、第1のSIM用のUE115-aおよび/またはUE115-bにRNTIを割り当て、送信することができる。
【００７７】
UE通信マネージャ202および/またはUE通信マネージャ203は、UE115-aおよび/またはUE115-bの第2のSIMの第2のサブスクリプションのキャンプされたセルを識別することができる。UE通信マネージャ202および/またはUE通信マネージャ203は、いくつかの例では、基地局105-bが、第2のSIMのためのキャンプされたセルではないと判断し得る。第2のSIMのキャンプされたセルが基地局105-bでない場合、第2のSIMは、基地局105-bへの再選択をしてもよい。たとえば、UE通信マネージャ202および/またはUE通信マネージャ203は、第2のSIMと基地局105-bとの間のRRC接続セットアップフェーズを開始してよい。いくつかのケースでは、UE115-aおよび/またはUE115-bの第2のSIMは、1つまたは複数のイベントに基づいてRRC接続セットアップフェーズに入り、RNTIを割り当てられ得る。いくつかの例では、ネットワーク通信マネージャ201は、第2のSIM用のUE115-aおよび/またはUE115-bにRNTIを割り当て、送信することができる。いくつかのケースでは、第1のSIMに割り当てられるRNTIと第2のSIMに割り当てられるRNTIは、同じであるか、または異なってよい。
【００７８】
いくつかの例では、UE115-aおよび/またはUE115-bのUE通信マネージャ202および/またはUE通信マネージャ203は、基地局105-bのネットワーク通信マネージャ201にSIM関連付けを送信し得る。たとえば、第2のSIMは、RRCシグナリング、たとえば、RRC接続セットアップ完了(併置RNTIリスト)によって、第1のSIMとのSIM関連付けを基地局105-bに報告し得る。リストは、第1のSIMのRNTIのみを含み得る。SIM関連付けは、第1のSIMおよび第2のSIMに関連し得る。いくつかの例では、SIM関連付けは、新規RRC接続セットアップ完了メッセージ中で送信され得る。
【００７９】
いくつかの例では、ネットワーク通信マネージャ201は、UE115-aおよび/またはUE115-bが誤ったデバイスアイデンティティを報告するのを回避することを検証し、サポートすることができる。デバイスアイデンティティが無効の場合、基地局105-bは、そのアイデンティティを、対応するSIMに関連付けるのを終了する。たとえば、基地局105-bは、第1のSIMおよび第2のSIMから、UE115-aおよび/またはUE115-bに関連付けられたアイデンティティ情報を受信し得る。基地局105-bのネットワーク通信マネージャ201は、受信されたアイデンティティ情報を比較し、比較に基づいてアイデンティティ情報を検証してもよい。いくつかのケースでは、ネットワーク通信マネージャ201は、第1のSIMおよび第2のSIMからの受信されたアイデンティティ情報を、ホームサブスクリプション契約サーバデータベースに登録された、UE115-aおよび/またはUE115-bのアイデンティティと比較し得る。ネットワーク通信マネージャ201は代替として、検証のためにUE115-aおよび/またはUE115-bからCN(たとえば、CN130)に報告をフォワードすることによって、デバイスアイデンティティを検証し得る。いくつかのケースでは、UE115-aおよび/またはUE115-bは、ホームサブスクリプション契約サーバに登録され得る。CNは次いで、基地局105-bが報告したデバイスアイデンティティを、ホームサブスクリプション契約サーバからのアイデンティティと比較することによって検証することができる。いくつかの例では、CNは、非アクセス層(NAS)からアイデンティティを受信する場合もあるであろう。CNは次いで、たとえば初期コンテキストセットアップメッセージ、UEコンテキスト修正メッセージ、またはハンドオーバ要求メッセージ中で、アイデンティティをRANにフォワードしてもよい。
【００８０】
いくつかのケースでは、CNは、UEアイデンティティおよびIMSI/証明書関連付けを記憶し得る。関連付け変更、または1つのIMSI/証明書が複数のデバイスアイデンティティを有するという事象は、偽のデバイスアイデンティティレポート国際モバイルサブスクリプション契約アイデンティティ(IMSI)/証明書関連付けを検出するのに使うことができる。いくつかの例では、SIM関連付けまたはIMSI/証明書は、報告されたUEアイデンティティを比較するとき、誤ったUEアイデンティティ報告を検出するのに使うことができる複数のUEアイデンティティを含み得る。いくつかの例では、UE115-aおよび/またはUE115-bのUE通信マネージャ202および/またはUE通信マネージャ203は、検証に基づいて、基地局105-bからRRC接続再構成メッセージを受信し得る。
【００８１】
いくつかの例では、UE115-aおよび/またはUE115-bの各SIMは、そのアイデンティティ、たとえば、国際モバイル機器アイデンティティ(IMEI)を、RANに単独で報告することができる。アイデンティティ情報は、いくつかの例では、データパケット、RRC接続メッセージ、専用RRCメッセージのIE、またはそれらの組合せのうちの少なくとも1つを使って送信され得る。
【００８２】
基地局105-bのネットワーク通信マネージャ201は、UE115-aおよび/またはUE115-b用の1つまたは複数のパラメータを、SIM関連付け情報(すなわち、サブスクリプション関連付け情報)に基づいて構成し得る。たとえば、ネットワーク通信マネージャ201は、CA構成、デュアル接続性構成、マスターセルグループ(MCG)もしくは2次セルグループ(SCG)構成、またはそれらの組合せに基づいて、セル再選択を構成し得る。たとえば、ネットワーク通信マネージャ201は、UE115-aおよび/またはUE115-bからのマルチSIMおよび物理レイヤ共有の情報を用いて、UE115-aおよび/またはUE115-bの第1および第2のSIMを同じセル(すなわち、基地局105-bに対応する)中で維持することができる。いくつかのケースでは、DL CAが構成されたとき、第1および第2のSIM両方に関連付けられた1次セルは同じになり得る。代替として、いくつかのケースでは、CAは、2つのSIMのうちの少なくとも1つに対して構成され得る。この場合、他方のSIMのサービングセルは依然として、同じ1次セルであってよい。追加または代替として、いくつかの例では、マスターセルが構成される(たとえば、基地局105-bに関連付けられて)と、MCGおよびSCGは、第1および第2のSIM用に共通であってよい。いくつかのケースでは、UE115-aおよび/またはUE115-bの2つのSIMのうちの少なくとも1つは、MCGを用いて構成され得る。この場合、他方のSIMのサービングセルは依然として、MCGと同じであってよい。
【００８３】
基地局105-bのネットワーク通信マネージャ201は、UE115-aおよび/またはUE115-bからの重複RRM測定および報告をフィルタリングするのをサポートすることができる。たとえば、ネットワーク通信マネージャ201は、2つのSIMのうちの少なくとも1つのみが、両方のSIMについてのRRM測定および報告を実施するように、UE115-aおよび/またはUE115-bを構成し得る。いくつかの例では、ネットワーク通信マネージャ201は、異なるSIMに対する異なる測定を構成し得る。たとえば、UE115-aの第1のSIMがCSI測定および報告を実施することができ、UE115-aの第2のSIMは、RRM測定および報告を実施することができる。さらに、第1および第2のSIMにおける異なる測定は、同じまたは異なるTTI中に送信されるように構成され得る。
【００８４】
いくつかの例では、UE115-aおよび/またはUE115-bは、2つのSIMのうちの少なくとも1つのSIMが、RRM測定を実施するように構成されるという構成を、基地局105-bから受信し得る。UE115-aおよび/またはUE115-bは、2つのSIMのうちの少なくとも1つのSIMが、CSI測定を実施するように構成されるという構成も、基地局105-bから受信し得る。いくつかのケースでは、UE115-aおよび/またはUE115-bは、2つのSIMのうちの少なくとも1つのSIMが、PHR測定を実施するように構成されるという構成も、基地局105-bから受信し得る。UE115-aおよび/またはUE115-bは、スケジュールデータ、制御チャネル、またはそれらの組合せが、同じまたは異なるTTIにおいて構成されるという構成も、基地局105-bから受信し得る。
【００８５】
いくつかの例では、UE115-aおよび/またはUE115-bが両方のSIMについてのデータおよび/または制御を同じTTI中に送信する必要があり得るとき、複数のSIMによる物理レイヤ共有が、単一のSIM動作と比較して、より高いピーク平均電力比につながり得る。その結果、UE115-aおよび/またはUE115-bと基地局105-bとの間のリンクバジェットは、両方のSIMのための並行データおよび/または制御送信を伴う、潜在的なより高いピーク平均電力比により影響を受ける場合がある。基地局105-bは、UE115-aおよび/またはUE115-bのSIMを、異なるTTIおよび異なるリソースブロック中でデータおよび/または制御情報を送信するように構成することによって、ピーク平均電力比を低減するのをサポートすることができる。UE115-aおよび/またはUE115-bが、複数のSIMについてのデータおよび/または制御を同じTTI中に送信する必要があるとき、UE115-aおよび/またはUE115-bは、一方のSIMのための制御チャネル用の電力を、他方のSIM用にデータがスケジュールされる場合に優先し得る。いくつかの例では、電力を優先することは、制御送信を伴うすべてのSIMの間での等しい電力重み付け、およびデータ送信を伴うすべてのSIMの間での等しい電力重み付けを含み得る。
【００８６】
UE115-aおよび/またはUE115-bによる物理レイヤ共有のいくつかの例では、UEは、UE115-aおよび/またはUE115-bにとって利用可能な複数のSIMのうちの単一のSIM上で無線リンク監視(RLM)を実施し得る。いくつかのケースでは、RLFが検出されると、UE115-aおよび/またはUE115-bは、両方のSIM上でRLF回復を実施することができる。物理レイヤ共有およびマルチSIM動作の(たとえば、基地局105-bを介した)ネットワーク認識とともに、UE115-aおよび/またはUE115-bは、単一のSIM上でのみRLF回復を実施し得る。いくつかの例では、UE115-aおよび/またはUE115-bである。
【００８７】
図3Aおよび図3Bは、本開示の1つまたは複数の態様による、ネットワーク支援マルチサブスクリプション物理レイヤ共有をサポートするワイヤレス通信システム300の例を示す。図3Aは、本開示の1つまたは複数の態様による、ネットワーク支援マルチサブスクリプション物理レイヤ共有をサポートするワイヤレス通信システム300の例を示す。いくつかの例では、ワイヤレス通信システム300は、複数のSIMによる、並行する複数のネットワークスライスをサポートし得る。ネットワークスライシングは、1つまたは複数のサービスが、専用ネットワークスライス(たとえば、RAN部分および/またはCN部分)を介して稼働することを可能にし得る。いくつかのケースでは、UE115-cが2つのネットワークスライス、すなわち第1のサブスクリプション用の1つのネットワークスライス(またはネットワークスライスのセット)と、第2のサブスクリプション(たとえば、MTCおよびMBB)用の1つのネットワークスライス(またはネットワークスライスのセット)とを並列に稼働する必要がある場合、UE115-cは、ネットワークスライスの間でリソースを割り振り、たとえば、同じCCNFを共有してもよい。CCNFは、いくつかの例では、少なくともAMFおよびシグナリング接続を含み得る。ワイヤレス通信システム300の例は、UE115-c、RAN325、CCNF/AMF335、データコアネットワーク(DCN)345およびDCN355を含み得る。UE115-cは、図1〜図2を参照して説明した対応するデバイスの例であり得る。UE115-cは、第1のSIM310および第2のSIM315も含み得る。第1のSIM310および第2のSIM315は、共通通信リンク320を介してRAN325に情報を通信し得る。RAN325は次いで、情報を、通信リンク330を介してCCNF/AMF335に通信し得る。CCNF/AMF335は、情報を、通信リンク340および350を介してDCN345およびDCN355にフォワードし得る。ただし、いくつかのケースでは、共通通信リンク320の共有は、リソース割振りのための複雑さを増す場合があり、サービス特有の修正におけるネットワークスライシングのいくつかの利益を犠牲にする場合がある。
【００８８】
図3Bは、本開示の1つまたは複数の態様による、ネットワーク支援マルチサブスクリプション物理レイヤ共有をサポートするワイヤレス通信システム300の例を示す。いくつかの例では、ワイヤレス通信システム300は、複数のSIMによる、並行する複数のネットワークスライスをサポートし得る。ネットワークスライシングは、1つまたは複数のサービスが、専用ネットワークスライス(たとえば、RAN部分および/またはCN部分)を介して稼働することを可能にし得る。代替として、ワイヤレス通信システム300の例は、UE115-d、RAN325-a、DCN345-a、DCN355-a、CCNF/AMF335-a、およびCCNF/AMF335-bを含み得る。UE115-dは、図1〜図2を参照して説明した対応するデバイスの例であり得る。UE115-dは、第1のSIM310-aおよび第2のSIM315-aも含み得る。
【００８９】
第1のSIM310-aおよび第2のSIM315-aは、共通通信リンク320を介してRAN325-aに情報を通信し得る。上述したように、いくつかの例では、ワイヤレス通信システム300は、MTCネットワークスライス上のMTC、MBBネットワークスライス上のMBBなどを含み得る専用ネットワークスライスを含み得る。いくつかのケースでは、UE115-dが2つのネットワークスライス(たとえば、MTCおよびMBB)を並列に稼働する必要がある場合、UE115-dは、2つのネットワークスライスの間でリソースを割り振り、たとえば、同じCCNFを共有してもよい。CCNFは、いくつかの例では、少なくともAMFおよびシグナリング接続を含み得る。ただし、いくつかのケースでは、この共有は、リソース割振りのための複雑さを増す場合があり、サービス特有の修正におけるネットワークスライシングのいくつかの利益を犠牲にする場合がある。代替として、ワイヤレス通信システム300は、この共有問題を回避することができる、UE115-dの複数のSIM(すなわち、第1のSIM310-aおよび第2のSIM315-a)による複数のネットワークスライスをサポートすることができる。たとえば、2つのスライスが、通信リンク340を介して、非依存シグナリング接続(たとえば、共通通信リンク320)および非依存CCNF/AMFを用いて、(たとえば、第1のSIM310-aおよび第2のSIM315-aに関連付けられた)UE115-d上で稼働しているときである。言い換えると、第1のSIM310-aおよび第2のSIM315-aは、非依存通信リンク320を使って、RAN325-aにデータを送信し得る。RAN325-aにおいて、データは、DCN345-aへの非依存通信リンク340、およびDCN355-aへの非依存通信リンク350上でもフォワードされ得る。DCN345-aおよびDCN355-aは、対応するCCNF/AMF335-aおよびCCNF/AMF335-bを含み得る。その結果、この非依存シグナリングおよび接続は、異なるネットワークスライスが、対応するSIMのサービスおよび動作に異なる修正を適用することを可能にし得る。
【００９０】
図4は、本開示の1つまたは複数の態様による、ネットワーク支援マルチサブスクリプション物理レイヤ共有をサポートするプロセスフロー400の例を示す。プロセスフロー400は、図1〜図3を参照して説明した、対応するデバイスの例であり得る、基地局105-cおよびUE115-eを含み得る。UE115-eはマルチサブスクリプション契約UEであってよい。たとえば、UE115-eは、第1のSIM410および第2のSIM415を含み得る。
【００９１】
420において、UE115-eは、RRC接続セットアップメッセージにより、基地局105-cとの通信リンクを確立し得る。たとえば、確立される通信リンクは、UE115-eの第1のSIM410上にあってよい。いくつかの例では、UE115-eは、RNTIを受信し、第1のSIM410に割り当てることができる。RNTIは、第1のSIM410を基地局105-cに関連付けてよい。いくつかの例では、RRC接続セットアップが、UE115-e(たとえば、第1のSIM410または第2のSIM415)がRRCアイドルモードからRRC接続モードに遷移するのに使われ得る。UE115-eは、任意のアプリケーションデータを転送するか、または任意のシグナリング手順を完了する前に、RRC接続モードに遷移し得る。たとえば、エンドユーザが、インターネットをブラウズするため、またはeメールを送るためのアプリケーションを始めた場合、UE115-eの第1のSIM410が、RRC接続セットアップをトリガし得る。いくつかの例では、420におけるRRC接続セットアップに先立って、UE115-eは、ランダムアクセス手順の一部としてRRC接続要求メッセージを送信し得る。RRC接続要求を送信した後、いくつかの例では、第1のSIM410を介して、UE115-eは、RRC接続セットアップメッセージを受信するのを待ってもよい。RRC接続セットアップメッセージは、PUSCH、PUCCH、物理ダウンリンク共有チャネル(PDSCH)チャネル用の構成と、UE115-eの第1のSIM410についてのアップリンク電力制御、チャネル品質インジケータ(CQI)報告、SRS、アンテナ構成およびスケジューリング要求に関する情報とを含み得る。
【００９２】
ブロック425において、UE115-eは、第2のSIM415に関連付けられたサービングセルを識別し得る。いくつかの例では、UE115-eは、第2のSIMの識別されたサービングセルが基地局105-cとは異なると判断し得る。第2のSIM415のキャンプされたセルが、第1のSIM410用と同じでない場合、第2のSIM415は、ブロック430において、セル再選択をトリガしてもよい。セル再選択は、第2のSIM415が、ブロック435において、RRC接続セットアップメッセージを基地局105-cから受信することを含み得る。いくつかの例では、UE115-eは、RNTIを受信し、第2のSIM415に割り当てることができる。RNTIは、第2のSIM415を基地局105-cに関連付けることができる。いくつかの例では、第2のSIM415はアイドルモードであり得る。RRC接続セットアップメッセージは、PUSCH、PUCCH、PDSCHチャネル用の構成と、UE115-eの第2のSIM415についてのアップリンク電力制御、CQI報告、SRS、アンテナ構成およびスケジューリング要求に関する情報とを含み得る。
【００９３】
440において、第2のSIM415は、RRC接続セットアップ完了メッセージを基地局105-cに送信し得る。いくつかのケースでは、RRC接続セットアップ完了メッセージは、RRC接続確立の完了成功を確認するのに使われる。いくつかのケースでは、第2のSIM415は、第1のSIM410との関連付けを、RRCシグナリング、たとえばRRC接続セットアップ完了(併置RNTIリスト)によって基地局105-cに報告することができる。いくつかのケースでは、併置RNTIリストは、第1のSIM410のRNTIを含むだけでよい。SIM関連付けは、RRC接続セットアップ完了メッセージのIE中に含まれてもよい。
【００９４】
445において、第2のSIM415は、基地局105-cからRRC接続再構成メッセージを受信し得る。RRC接続再構成メッセージは、第2のSIM415用のRRC接続を修正する、たとえば、異なるキャンプされたセルから基地局105-cに接続を切り替えるためのコマンドであってよい。
【００９５】
図5は、本開示の1つまたは複数の態様による、ネットワーク支援マルチサブスクリプション物理レイヤ共有をサポートするプロセスフロー500の例を示す。プロセスフロー500は、図1〜図4を参照して説明した、対応するデバイスの例であり得る、基地局105-dおよびUE115-fを含み得る。UE115-fはマルチサブスクリプション契約UEであってよい。たとえば、UE115-fは、第1のSIM510および第2のSIM515を含み得る。
【００９６】
520において、UE115-fは、RRC接続セットアップメッセージ(IMEI)により、基地局105-dとの通信リンクを確立し得る。たとえば、確立される通信リンクは、UE115-fの第1のSIM510上にあってよい。いくつかの例では、RRC接続セットアップメッセージが、UE115-f(たとえば、第1のSIM510または第2のSIM515)がRRCアイドルモードからRRC接続モードに遷移するのに使われ得る。UE115-fは、任意のアプリケーションデータを転送するか、または任意のシグナリング手順を完了する前に、RRC接続モードに遷移し得る。たとえば、エンドユーザが、インターネットをブラウズするため、またはeメールを送るためのアプリケーションを始めた場合、UE115-fの第1のSIM510が、RRC接続セットアップメッセージをトリガし得る。いくつかの例では、RRC接続セットアップメッセージに先立って、UE115-fは、ランダムアクセス手順の一部としてRRC接続要求メッセージを送信し得る。RRC接続要求メッセージを送信した後、いくつかの例では、第1のSIM510を介して、UE115-fは、RRC接続セットアップメッセージ(IMEI)を受信するのを待ってもよい。RRC接続セットアップメッセージは、PUSCH、PUCCH、PDSCHチャネル用の構成と、UE115-fの第1のSIM510についてのアップリンク電力制御、CQI報告、SRS、アンテナ構成およびスケジューリング要求に関する情報とを含み得る。
【００９７】
ブロック525において、UE115-fは、第2のSIM515に関連付けられたサービングセルを識別し得る。いくつかの例では、UE115-fは、第2のSIMの識別されたサービングセルが基地局105-dとは異なると判断し得る。第2のSIM515のキャンプされたセルが、第1のSIM510用と同じでない場合、第2のSIM515は、ブロック530において、セル再選択をトリガしてよい。セル再選択は、第2のSIM515が、ブロック535において、第2のSIM515と基地局105-dとの間でRRC接続セットアップメッセージ(IMEI)を開始することを含み得る。
【００９８】
535において、第2のSIM515は、基地局105-dからRRC接続セットアップメッセージを受信し得る。いくつかの例では、第2のSIM515はアイドルモードであり得る。RRC接続セットアップメッセージは、PUSCH、PUCCH、PDSCHチャネル用の構成と、UE115-fの第2のSIM515についてのアップリンク電力制御、CQI報告、SRS、アンテナ構成およびスケジューリング要求に関する情報とを含み得る。540において、第2のSIM515は、基地局105-dからRRC接続再構成メッセージを受信し得る。RRC接続再構成メッセージは、第2のSIM515用のRRC接続を修正する、たとえば、異なるキャンプされたセルから基地局105-dに接続を切り替えるためのコマンドであってよい。いくつかの例では、各SIM(すなわち、第1のSIM510および第2のSIM515)は、UE115-fのアイデンティティ情報、たとえば、IMEIを、基地局105-d、もしくはRAN、もしくはCN、またはそれらの組合せに単独で報告することができる。UE115-fに関連付けられたアイデンティティ情報は、データパケット、RRC接続メッセージ、専用RRCメッセージのIE、またはそれらの組合せのうちの少なくとも1つを使って、基地局105-dに送信され得る。
【００９９】
図6は、本開示の1つまたは複数の態様による、ネットワーク支援マルチサブスクリプション物理レイヤ共有をサポートするワイヤレスデバイス605のブロック図600を示す。ワイヤレスデバイス605は、図1を参照して説明されたUE115の態様の例であり得る。ワイヤレスデバイス605は、受信機610、UE通信マネージャ615、および送信機620を含み得る。ワイヤレスデバイス605はプロセッサも含み得る。これらのコンポーネントの各々は、(たとえば、1つまたは複数のバスを介して)互いに通信し得る。
【０１００】
受信機610は、パケット、ユーザデータ、または様々な情報チャネル(たとえば、制御チャネル、データチャネル、およびネットワーク支援マルチサブスクリプション物理レイヤ共有などに関する情報)に関連付けられた制御情報などの情報を受信し得る。情報は、デバイスの他のコンポーネントに渡され得る。いくつかの例では、受信機610は、サービングセルからRRC接続再構成メッセージを受信し得る。受信機610は、図9を参照して説明するトランシーバ935の態様の例であってよい。
【０１０１】
UE通信マネージャ615は、図1を参照して説明したUE通信マネージャ102の態様の例であり得る。UE通信マネージャ615および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ615および/またはその様々なサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または本開示において説明する機能を実施するように設計されたそれらの任意の組合せによって実行され得る。
【０１０２】
UE通信マネージャ615および/またはその様々なサブコンポーネントのうちの少なくともいくつかは、機能の一部が1つまたは複数の物理デバイスによって異なる物理的位置に実装されるように分散されることを含む、様々な位置に物理的に配置されてよい。いくつかの例では、UE通信マネージャ615および/またはその様々なサブコンポーネントのうちの少なくともいくつかは、本開示の様々な態様による別個のおよび異なるコンポーネントであり得る。他の例では、UE通信マネージャ615および/またはその様々なサブコンポーネントのうちの少なくともいくつかは、限定はしないが、I/Oコンポーネント、トランシーバ、ネットワークサーバ、別のコンピューティングデバイス、本開示で説明した1つもしくは複数の他のコンポーネント、または本開示の様々な態様によるそれらの組合せを含む、1つまたは複数の他のハードウェアコンポーネントと結合され得る。
【０１０３】
UE通信マネージャ615は、マルチサブスクリプション調整能力をネットワークに送信することと、マルチサブスクリプション調整能力に基づいて、ネットワークとの、第1のサブスクリプション用のリンクを確立することと、マルチサブスクリプション調整能力に基づき、リンクを使って、ネットワークとの第2のサブスクリプションを確立することであって、第1のサブスクリプションは第2のサブスクリプションに関連付けられる、確立することとを行い得る。マルチサブスクリプションは、送信された物理レイヤ共有能力指示および送信されたマルチサブスクリプション調整能力に基づいて、並行してアクティブ状態にあることが可能であり得る。
【０１０４】
送信機620は、デバイスの他のコンポーネントによって生成された信号を送信することができる。いくつかの例では、送信機620は、トランシーバモジュール内で受信機610と併置され得る。たとえば、送信機620は、図9を参照して説明されるトランシーバ935の態様の例であり得る。送信機620は、単一のアンテナを含んでよく、またはアンテナのセットを含んでもよい。送信機620は、第1のSIMと第2のSIMとの間のSIM関連付けを第1のサービングセルに送信してもよく、新規RRC接続セットアップ完了メッセージによりSIM関連付けを送信することができる。いくつかの例では、送信機620は、ワイヤレスデバイス605の第1のSIMを介して、ワイヤレスデバイス605に関連付けられたアイデンティティ情報を、データパケット、RRC接続メッセージ、専用RRCメッセージのIE、またはそれらの組合せのうちの少なくとも1つを使ってネットワークに送信し得る。代替として、送信機620は、第2のSIMを介して、ワイヤレスデバイス605に関連付けられたアイデンティティ情報を、データパケット、RRC接続メッセージ、専用RRCメッセージのIE、またはそれらの組合せのうちの少なくとも1つを使ってネットワークに送信し得る。いくつかのケースでは、物理レイヤ共有能力はRRCメッセージ中で送信される。
【０１０５】
図7は、本開示の1つまたは複数の態様による、ネットワーク支援マルチサブスクリプション物理レイヤ共有をサポートするワイヤレスデバイス705のブロック図700を示す。ワイヤレスデバイス705は、図1および図6を参照して説明したワイヤレスデバイス605またはUE115の態様の例であってよい。ワイヤレスデバイス705は、受信機710、UE通信マネージャ715、および送信機720を含み得る。ワイヤレスデバイス705はプロセッサも含み得る。これらのコンポーネントの各々は、(たとえば、1つまたは複数のバスを介して)互いに通信し得る。
【０１０６】
受信機710は、パケット、ユーザデータ、または様々な情報チャネル(たとえば、制御チャネル、データチャネル、およびネットワーク支援マルチサブスクリプション物理レイヤ共有などに関する情報)に関連付けられた制御情報などの情報を受信し得る。情報は、デバイスの他のコンポーネントに渡され得る。受信機710は、図9を参照して説明するトランシーバ935の態様の例であってよい。
【０１０７】
UE通信マネージャ715は、図6を参照して説明したUE通信マネージャ615の態様の例であり得る。UE通信マネージャ715は、共有能力コンポーネント725およびマルチサブスクリプションコンポーネント730も含み得る。共有能力コンポーネント725は、UE(たとえば、ワイヤレスデバイス705)上の1つまたは複数の無線を介して、物理レイヤ共有能力指示をネットワークに送信し得る。いくつかのケースでは、物理レイヤ共有能力指示は、無線リンク管理測定を実施したことに基づく。
【０１０８】
マルチサブスクリプションコンポーネント730は、マルチサブスクリプション調整能力をネットワークに送信し得る。いくつかの例では、マルチサブスクリプションは、送信された物理レイヤ共有能力指示および送信されたマルチサブスクリプション調整能力に基づいて、並行してアクティブ状態にあることが可能であり得る。いくつかのケースでは、UEは、共有RFリソースに関連付けられた少なくとも2つのSIMを有するマルチSIMを含み得る。いくつかのケースでは、マルチサブスクリプションコンポーネント730は、マルチサブスクリプション調整能力に基づいて、第1のSIMの第1のサービングセルを識別し得る。追加または代替として、マルチサブスクリプションコンポーネント730は、マルチサブスクリプション調整能力に基づいて、第2のSIMの第2のサービングセルを識別し得る。いくつかのケースでは、少なくとも2つのSIMは、一意の加入者ID、セキュリティ鍵、1つもしくは複数の追加パラメータ、またはそれらの組合せのうちの少なくとも1つを含み得る。いくつかの例では、マルチサブスクリプションコンポーネント730は、マルチサブスクリプション動作についての要求を識別し得る。あるケースでは、マルチサブスクリプション調整能力をネットワークに送信することは、識別したことに基づき得る。
【０１０９】
マルチサブスクリプションコンポーネント730は、いくつかの例では、第1のSIMと第1のサービングセルとの間の通信リンクを確立し得る。マルチサブスクリプションコンポーネント730は、第2のSIMのサービングセルが第1のサービングセルとは異なると判断し得る。たとえば、マルチサブスクリプションコンポーネント730は、第1のSIMの第1のサービングセルが第2のSIMの第2のサービングセルとは異なると判断し得る。いくつかのケースでは、マルチサブスクリプション契約SIMは単一の事業者に関連付けられる。いくつかのケースでは、スケジュールデータ、制御チャネル、またはそれらの組合せのうちの少なくとも1つが、同じまたは異なるTTIにおいて構成される。いくつかのケースでは、マルチサブスクリプション調整能力は、SIM、USIM、CSIM、UIM、ソフトSIM、証明書、またはそれらの組合せのうちの少なくとも1つを含む。
【０１１０】
送信機720は、デバイスの他のコンポーネントによって生成された信号を送信することができる。いくつかの例では、送信機720は、トランシーバモジュール内で受信機710と併置され得る。たとえば、送信機720は、図9を参照して説明されるトランシーバ935の態様の例であり得る。送信機720は、単一のアンテナを含んでよく、またはアンテナのセットを含んでもよい。
【０１１１】
図8は、本開示の1つまたは複数の態様による、ネットワーク支援マルチサブスクリプション物理レイヤ共有をサポートするUE通信マネージャ815のブロック図800を示す。UE通信マネージャ815は、図6、図7、および図9を参照して説明するUE通信マネージャ615、UE通信マネージャ715、またはUE通信マネージャ915の態様の例であり得る。UE通信マネージャ815は、共有能力コンポーネント820、マルチサブスクリプションコンポーネント825、関連付けコンポーネント830、状態コンポーネント835、セル再選択コンポーネント840、無線ネットワーク一時識別器845、セル識別コンポーネント850、無線リンク障害コンポーネント855、測定レポートコンポーネント860、電力レベルコンポーネント865、およびネットワークスライスコンポーネント870を含み得る。これらのモジュールの各々は、直接または間接的に互いと(たとえば、1つまたは複数のバスを介して)通信し得る。
【０１１２】
共有能力コンポーネント820は、UE(たとえば、ワイヤレスデバイス605、705、または805)上の1つまたは複数の無線を介して、物理レイヤ共有能力指示をネットワークに送信し得る。いくつかのケースでは、物理レイヤ共有能力指示は、無線リンク管理測定を実施したことに基づく。
【０１１３】
マルチサブスクリプションコンポーネント825は、マルチサブスクリプション調整能力をネットワークに送信し得る。いくつかの例では、マルチサブスクリプションは、送信された物理レイヤ共有能力指示および送信されたマルチサブスクリプション調整能力に基づいて、並行してアクティブ状態にあることが可能であり得る。いくつかの例では、マルチサブスクリプションコンポーネント825は、マルチサブスクリプション調整能力指示に基づいて、第1のSIMの第1のサービングセルを識別し得る。マルチサブスクリプションコンポーネント825は、マルチサブスクリプション調整能力に基づいて、第2のSIMの第2のサービングセルも識別し得る。いくつかのケースでは、マルチサブスクリプションコンポーネント825は、マルチサブスクリプション動作についての要求を識別し得る。マルチサブスクリプション調整能力は、識別したことに基づいてネットワークに送信され得る。
【０１１４】
いくつかの例では、マルチサブスクリプションコンポーネント825は、第1のSIMと第1のサービングセルとの間の通信リンクを確立し得る。マルチサブスクリプションコンポーネント825は、第2のSIMのサービングセルが第1のサービングセルとは異なると判断し、第1のSIMの第1のサービングセルが第2のSIMの第2のサービングセルとは異なると判断し得る。いくつかのケースでは、SIMは、一意の加入者識別子(ID)、セキュリティ鍵、1つもしくは複数の追加パラメータ、またはそれらの組合せのうちの少なくとも1つを含む。いくつかのケースでは、ワイヤレスデバイス605、705、または905は、共有RFリソースに関連付けられた少なくとも2つのSIMを有するマルチSIMを含み得る。いくつかのケースでは、マルチサブスクリプション契約SIMは単一の事業者に関連付けられる。いくつかのケースでは、スケジュールデータ、制御チャネル、またはそれらの組合せのうちの少なくとも1つが、同じまたは異なるTTIにおいて構成される。いくつかのケースでは、マルチサブスクリプション調整能力は、SIM、USIM、CSIM、UIM、ソフトSIM、証明書、またはそれらの組合せのうちの少なくとも1つを含む。
【０１１５】
関連付けコンポーネント830は、判断したことに基づいて、物理レイヤ共有能力指示を少なくとも2つのSIMに関連付け、SIM関連付け指示を同じサービングセルに送信し得る。状態コンポーネント835は、少なくとも2つのSIMのうちの第1のSIMがRRC接続済み状態にあると判断し得る。いくつかの例では、状態コンポーネント835は、少なくとも2つのSIMのうちの第2のSIMがRRCアイドル状態にあると判断し、少なくとも2つのSIMのうちの第2のSIMがRRC接続済み状態にあると判断し得る。
【０１１６】
セル再選択コンポーネント840は、判断したことに基づいて、第2のSIM用の第1のサービングセルへのセル再選択をトリガし得る。セル再選択コンポーネント840は、セル再選択をトリガしたことに基づいて、第2のSIMと第1のサービングセルとの間のRRC接続を開始することができる。いくつかのケースでは、セル再選択コンポーネント840は、第2のSIMと第1のサービングセルとの間のRRC接続セットアップフェーズを開始することができる。いくつかの例では、セル再選択コンポーネント840は、第2のSIMに関連付けられたサブスクリプション情報をネットワークに送信し得る。無線ネットワーク一時識別器845は、確立したことに基づいて、第1のサービングセルの第1のRNTIを割り当て、かつ/または受信し、第2のRNTIを、第2のSIMに割り当て、かつ/または受信し得る。追加または代替として、セル識別コンポーネント850は、第1のSIMおよび第2のSIMが、同じサービングセルとのRRC接続済み状態にあると判断し得る。
【０１１７】
無線リンク障害コンポーネント855は、2つのSIMのうちの少なくとも1つを使ってRLF測定を実施することができる。いくつかの例では、無線リンク障害コンポーネント855は、実施されたRLF測定に基づいてRLFを検出し、検出されたRLFに基づいて、2つのSIMの両方においてRLF回復を実施することができる。いくつかのケースでは、無線リンク障害コンポーネント855は、2つのSIMのうちの少なくとも1つ、または2つのSIMの両方に関連付けられた通信リンクの検出されたRLFに基づいて、2つのSIMのうちの少なくとも1つにおいてRLF回復を実施することができる。
【０１１８】
測定レポートコンポーネント860は、同じまたは異なるTTIを使って測定レポートを送信し得る。いくつかのケースでは、2つのSIMのうちの少なくとも1つのSIMが、RRM測定を実施するように構成される。いくつかのケースでは、2つのSIMのうちの少なくとも1つのSIMが、CSI測定を実施するように構成される。いくつかのケースでは、2つのSIMのうちの少なくとも1つのSIMが、PHR測定を実施するように構成される。いくつかのケースでは、少なくとも2つのSIMが、同じまたは異なるTTIを使って測定レポートを送信するように構成される。いくつかのケースでは、測定レポートは、RRM測定、CSI測定、PHR測定、またはそれらの組合せのうちの少なくとも1つを含む。電力レベルコンポーネント865は、同じTTI中の、少なくとも2つのSIMによるデータまたは制御情報の並行送信を判断し、判断したことに基づいて、UEの電力レベルを構成し、送信電力レベルを少なくとも2つのSIMに比例配分してもよい。
【０１１９】
ネットワークスライスコンポーネント870は、少なくとも2つのSIMのうちの第1のSIMが第1のネットワークスライスに関連付けられ、少なくとも2つのSIMのうちの第2のSIMが第2のネットワークスライスに関連付けられていることを識別し得る。いくつかのケースでは、第1のネットワークスライスと第2のネットワークスライスは異なり得る。いくつかのケースでは、第1のネットワークスライスは第1のシグナリング接続に関連付けられてよく、第2のネットワークスライスは第2のシグナリング接続に関連付けられる。いくつかのケースでは、第1のシグナリング接続は、第2のシグナリング接続に依存しなくてよい。第1のネットワークスライスは、第1のCNFおよび第1のAMFに関連付けられ得る。追加または代替として、第2のネットワークスライスは、第2のCNFおよび第2のAMFに関連付けられ得る。いくつかのケースでは、第1のネットワークスライスおよび第2のネットワークスライスはCCNFを共有する。いくつかのケースでは、共有CCNFは、AMF、シグナリング接続、またはそれらの組合せのうちの少なくとも1つを含み得る。
【０１２０】
図9は、本開示の1つまたは複数の態様による、ネットワーク支援マルチサブスクリプション物理レイヤ共有をサポートするデバイス905を含むシステム900の図を示す。デバイス905は、たとえば、図1、図6、および図7を参照して説明されたような、ワイヤレスデバイス605、ワイヤレスデバイス705、もしくはUE115のコンポーネントの例であり得るか、またはそれを含み得る。デバイス905は、UE通信マネージャ915、プロセッサ920、メモリ925、ソフトウェア930、トランシーバ935、アンテナ940、およびI/Oコントローラ945を含む、通信を送信および受信するためのコンポーネントを含む、双方向音声およびデータ通信のためのコンポーネントを含み得る。これらのコンポーネントは、1つまたは複数のバス(たとえば、バス910)を介して電子通信し得る。デバイス905は、1つまたは複数のネットワークアクセスデバイス105とワイヤレス通信することができる。
【０１２１】
プロセッサ920は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含み得る。いくつかのケースでは、プロセッサ920は、メモリコントローラを使ってメモリアレイを操作するように構成され得る。他のケースでは、メモリコントローラは、プロセッサ920の中に統合されてよい。プロセッサ920は、様々な機能(たとえば、ネットワーク支援マルチサブスクリプション物理レイヤ共有をサポートする機能またはタスク)を実施するためにメモリに記憶されたコンピュータ可読命令を実行するように構成され得る。
【０１２２】
メモリ925は、ランダムアクセスメモリ(RAM)および読取り専用メモリ(ROM)を含み得る。メモリ925は、実行されると、プロセッサに、本明細書で説明する様々な機能を実施させる命令を含む、コンピュータ可読コンピュータ実行可能ソフトウェア930を記憶し得る。いくつかのケースでは、メモリ925は、とりわけ、周辺コンポーネントまたはデバイスとの相互作用など、基本的ハードウェアおよび/またはソフトウェア動作を制御し得る基本入出力システム(BIOS)を含み得る。
【０１２３】
ソフトウェア930は、ネットワーク支援マルチサブスクリプション物理レイヤ共有をサポートするためのコードを含む、本開示の態様を実装するためのコードを含み得る。ソフトウェア930は、システムメモリまたは他のメモリなど、非一時的コンピュータ可読媒体内に記憶され得る。いくつかのケースでは、ソフトウェア930は、プロセッサによって直接実行可能ではないことがあるが、(たとえば、コンパイルされ、実行されると)本明細書で説明される機能をコンピュータに実施させることができる。
【０１２４】
トランシーバ935は、上記で説明したように、1つまたは複数のアンテナ、ワイヤード、またはワイヤレスリンクを介して、双方向に通信し得る。たとえば、トランシーバ935は、ワイヤレストランシーバを表すことがあり、別のワイヤレストランシーバと双方向に通信し得る。トランシーバ935はまた、送信のためにパケットを変調するとともに被変調パケットをアンテナに提供し、またアンテナから受信されたパケットを復調するための、モデムを含み得る。いくつかのケースでは、ワイヤレスデバイスは、単一のアンテナ940を含み得る。ただし、いくつかのケースでは、デバイスは複数のアンテナ940を有することができ、複数のアンテナ940は、複数のワイヤレス送信を並行して送信または受信することが可能であり得る。
【０１２５】
I/Oコントローラ945は、デバイス905のための入力信号および出力信号を管理し得る。I/Oコントローラ945は、デバイス905の中に統合されていない周辺機器を管理することもできる。いくつかのケースでは、I/Oコントローラ945は、外部周辺機器への物理接続またはポートを表し得る。いくつかのケースでは、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを使用することができる。他のケースでは、I/Oコントローラ945は、モデム、キーボード、マウス、タッチスクリーン、または同様のデバイスを表し、またはそれと対話し得る。いくつかの場合、I/Oコントローラ945は、プロセッサの一部として実装され得る。場合によっては、ユーザは、I/Oコントローラ945を介して、またはI/Oコントローラ945によって制御されるハードウェアコンポーネントを介して、デバイス905と対話し得る。
【０１２６】
図10は、本開示の1つまたは複数の態様による、ネットワーク支援マルチサブスクリプション物理レイヤ共有をサポートするワイヤレスデバイス1005のブロック図1000を示す。ワイヤレスデバイス1005は、図1を参照して説明されたような基地局105の態様の例であり得る。ワイヤレスデバイス1005は、受信機1010、基地局通信マネージャ1015、および送信機1020を含み得る。ワイヤレスデバイス1005はプロセッサも含み得る。これらのコンポーネントの各々は、(たとえば、1つまたは複数のバスを介して)互いに通信し得る。
【０１２７】
受信機1010は、パケット、ユーザデータ、または様々な情報チャネル(たとえば、制御チャネル、データチャネル、およびネットワーク支援マルチサブスクリプション物理レイヤ共有などに関する情報)に関連付けられた制御情報などの情報を受信し得る。情報は、デバイスの他のコンポーネントに渡され得る。いくつかの例では、受信機1010は、第1のSIMから、UEに関連付けられたアイデンティティ情報を受信し、第2のSIMから、UEに関連付けられたアイデンティティ情報を受信し得る。受信機1010は、図13を参照して説明するトランシーバ1335の態様の例であってよい。
【０１２８】
基地局通信マネージャ1015は、図1を参照して説明したネットワーク通信マネージャ101の態様の例であり得る。基地局通信マネージャ1015および/またはその様々なサブコンポーネントのうちの少なくともいくつかは、ハードウェア、プロセッサによって実行されるソフトウェア、ファームウェア、またはそれらの任意の組合せで実装されてよい。プロセッサによって実行されるソフトウェアで実装される場合、基地局通信マネージャ1015および/またはその様々なサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェアコンポーネント、または本開示に記載された機能を実施するように設計されたそれらの任意の組合せによって実行されてよい。
【０１２９】
基地局通信マネージャ1015および/またはその様々なサブコンポーネントのうちの少なくともいくつかは、機能の一部が1つまたは複数の物理デバイスによって異なる物理的位置に実装されるように分散されることを含む、様々な位置に物理的に配置されてよい。いくつかの例では、基地局通信マネージャ1015および/またはその様々なサブコンポーネントのうちの少なくともいくつかは、本開示の様々な態様による別個でかつ明確なコンポーネントであってよい。他の例では、基地局通信マネージャ1015および/またはその様々なサブコンポーネントの少なくともいくつかは、限定はしないが、I/Oコンポーネント、トランシーバ、ネットワークサーバ、別のコンピューティングデバイス、本開示で説明した1つまたは複数の他のコンポーネント、または本開示の様々な態様によるそれらの組合せを含む、1つまたは複数の他のハードウェアコンポーネントと結合され得る。基地局通信マネージャ1015は、物理レイヤ共有能力指示をUEから受信し、マルチサブスクリプション調整能力をUEから受信し得る。
【０１３０】
送信機1020は、デバイスの他のコンポーネントによって生成された信号を送信することができる。いくつかの例では、送信機1020は、トランシーバモジュール内で受信機1010と併置され得る。たとえば、送信機1020は、図13を参照して説明されるトランシーバ1335の態様の例であり得る。送信機1020は、単一のアンテナを含むことがあり、または送信機1020は、アンテナのセットを含むことがある。
【０１３１】
図11は、本開示の1つまたは複数の態様による、ネットワーク支援マルチサブスクリプション物理レイヤ共有をサポートするワイヤレスデバイス1105のブロック図1100を示す。ワイヤレスデバイス1105は、図1および図10を参照して説明したように、ワイヤレスデバイス1005または基地局105の態様の例であってよい。ワイヤレスデバイス1105は、受信機1110、基地局通信マネージャ1115、および送信機1120を含み得る。ワイヤレスデバイス1105はプロセッサも含み得る。これらのコンポーネントの各々は、(たとえば、1つまたは複数のバスを介して)互いに通信し得る。
【０１３２】
受信機1110は、パケット、ユーザデータ、または様々な情報チャネル(たとえば、制御チャネル、データチャネル、およびネットワーク支援マルチサブスクリプション物理レイヤ共有などに関する情報)に関連付けられた制御情報などの情報を受信し得る。情報は、デバイスの他のコンポーネントに渡され得る。受信機1110は、図13を参照して説明するトランシーバ1335の態様の例であってよい。
【０１３３】
基地局通信マネージャ1115は、図10を参照して説明した基地局通信マネージャ1015の態様の例であり得る。基地局通信マネージャ1115は、共有能力コンポーネント1125およびマルチサブスクリプションコンポーネント1130も含み得る。いくつかのケースでは、共有能力コンポーネント1125は、UE(たとえば、UE115)から物理レイヤ共有能力指示を受信し得る。いくつかのケースでは、物理レイヤ共有能力指示は、少なくとも2つのSIMに関連付けられる。マルチサブスクリプションコンポーネント1130は、マルチサブスクリプション調整能力をUEから受信し得る。
【０１３４】
送信機1120は、デバイスの他のコンポーネントによって生成された信号を送信することができる。いくつかの例では、送信機1120は、トランシーバモジュール内で受信機1110と併置され得る。たとえば、送信機1120は、図13を参照して説明されるトランシーバ1335の態様の例であり得る。送信機1120は、単一のアンテナを含むことがあり、または送信機1120は、アンテナのセットを含むことがある。
【０１３５】
図12は、本開示の1つまたは複数の態様による、ネットワーク支援マルチサブスクリプション物理レイヤ共有をサポートする基地局通信マネージャ1215のブロック図1200を示す。基地局通信マネージャ1215は、図10、図11、および図13を参照して説明する基地局通信マネージャ1315の態様の例であってよい。基地局通信マネージャ1215は、共有能力コンポーネント1220、マルチサブスクリプションコンポーネント1225、構成コンポーネント1230、検証コンポーネント1235、セル識別コンポーネント1240、およびセル再選択コンポーネント1245を含み得る。これらのモジュールの各々は、直接または間接的に互いと(たとえば、1つまたは複数のバスを介して)通信し得る。
【０１３６】
共有能力コンポーネント1220は、UEから物理レイヤ共有能力指示を受信し得る。いくつかのケースでは、物理レイヤ共有能力指示は、少なくとも2つのSIMに関連付けられる。マルチサブスクリプションコンポーネント1225は、マルチサブスクリプション調整能力をUEから受信し得る。
【０１３７】
構成コンポーネント1230は、少なくとも2つのSIMについてのPHR測定および報告を構成し得る。いくつかの例では、構成コンポーネント1230は、少なくとも2つのSIMについてのCSI測定および報告を構成し得る。構成コンポーネント1230は、追加または代替として、少なくとも2つのSIMについて、ピーク対平均電力比測定を構成し、平均電力比測定を報告することができる。
【０１３８】
検証コンポーネント1235は、少なくとも2つのSIMのうちの第1のSIMおよび第2のSIMから受信されたアイデンティティ情報を比較し得る。いくつかの例では、検証コンポーネント1235は、比較に基づいてアイデンティティ情報を検証し得る。いくつかのケースでは、検証コンポーネント1235は、第1のSIMおよび第2のSIMからの受信されたアイデンティティ情報を、ホームサブスクリプション契約サーバデータベースに登録された1つまたは複数のUEのアイデンティティと比較してもよい。
【０１３９】
セル識別コンポーネント1240は、少なくとも2つのSIMのうちの第1のSIMが第1のサービングセルと接続されていると判断し得る。さらに、いくつかの例では、セル識別コンポーネント1240は、少なくとも2つのSIMのうちの第2のSIMが第2のサービングセルと接続されていると判断し得る。セル識別コンポーネント1240は、第1のサービングセルと第2のサービングセルが異なると判断し得る。
【０１４０】
セル再選択コンポーネント1245は、異なると判断したことに基づいて、第2のSIM用の第1のサービングセルへのセル再選択をトリガしてよい。いくつかのケースでは、第2のSIM用の第1のサービングセルへのセル再選択は、キャリアアグリゲーション構成に基づく。いくつかのケースでは、第2のSIM用の第1のサービングセルへのセル再選択は、デュアル接続性構成に基づく。いくつかのケースでは、第2のSIM用の第1のサービングセルへのセル再選択は、マスターセルグループまたは2次セルグループ構成に基づく。
【０１４１】
図13は、本開示の1つまたは複数の態様による、ネットワーク支援マルチサブスクリプション物理レイヤ共有をサポートするデバイス1305を含むシステム1300の図を示す。デバイス1305は、たとえば、図1を参照して上記で説明したような、基地局105のコンポーネントの例であってよく、またはそれを含んでよい。デバイス1305は、基地局通信マネージャ1315と、プロセッサ1320と、メモリ1325と、ソフトウェア1330と、トランシーバ1335と、アンテナ1340と、ネットワーク通信マネージャ1345とを含む、通信を送信および受信するためのコンポーネントを含む、双方向の音声およびデータ通信のためのコンポーネントを含み得る。これらのコンポーネントは、1つまたは複数のバス(たとえば、バス1310)を介して電子通信し得る。デバイス1305は、1つまたは複数のUE115とワイヤレス通信し得る。
【０１４２】
基地局通信マネージャ1315は、他のネットワークアクセスデバイス105との通信を管理することができ、他のネットワークアクセスデバイス105と協働してUE115との通信を制御するためのコントローラまたはスケジューラを含むことができる。たとえば、基地局通信マネージャ1315は、ビームフォーミングまたはジョイント送信などの様々な干渉軽減技法のために、UE115への送信のためのスケジューリングを調和させ得る。いくつかの例では、基地局通信マネージャ1315は、ネットワークアクセスデバイス105の間で通信を行うために、LTE/LTE-Aワイヤレス通信ネットワーク技術内のX2インターフェースを提供し得る。
【０１４３】
プロセッサ1320は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理コンポーネント、個別ハードウェアコンポーネント、またはそれらの任意の組合せ)を含み得る。いくつかのケースでは、プロセッサ1320は、メモリコントローラを使ってメモリアレイを操作するように構成され得る。他のケースでは、メモリコントローラは、プロセッサ1320の中に統合されてよい。プロセッサ1320は、様々な機能(たとえば、ネットワーク支援マルチサブスクリプション物理レイヤ共有をサポートする機能またはタスク)を実施するためにメモリに記憶されたコンピュータ可読命令を実行するように構成され得る。
【０１４４】
メモリ1325はRAMおよびROMを含み得る。メモリ1325は、実行されると、プロセッサに本明細書で説明する様々な機能を実行させる命令を含むコンピュータ可読コンピュータ実行可能ソフトウェア1330を記憶し得る。いくつかのケースでは、メモリ1325は、とりわけ、周辺コンポーネントまたは周辺デバイスとの相互作用など、基本的ハードウェアおよび/またはソフトウェア動作を制御し得るBIOSを含み得る。
【０１４５】
ソフトウェア1330は、ネットワーク支援マルチサブスクリプション物理レイヤ共有をサポートするためのコードを含む、本開示の態様を実装するためのコードを含み得る。ソフトウェア1330は、システムメモリまたは他のメモリなど、非一時的コンピュータ可読媒体内に記憶され得る。いくつかのケースでは、ソフトウェア1330は、プロセッサによって直接実行可能ではないことがあるが、(たとえば、コンパイルされ、実行されると)本明細書で説明される機能をコンピュータに実施させることができる。
【０１４６】
トランシーバ1335は、上記で説明したように、1つまたは複数のアンテナ、ワイヤード、またはワイヤレスリンクを介して、双方向に通信し得る。たとえば、トランシーバ1335は、ワイヤレストランシーバを表してよく、別のワイヤレストランシーバと双方向に通信することができる。トランシーバ1335はまた、送信のためにパケットを変調するとともに被変調パケットをアンテナに提供し、またアンテナから受信されたパケットを復調するための、モデムを含み得る。
【０１４７】
いくつかのケースでは、ワイヤレスデバイスは、単一のアンテナ1340を含み得る。ただし、いくつかのケースでは、デバイスは複数のアンテナ1340を有することができ、複数のアンテナ1340は、複数のワイヤレス送信を並行して送信または受信することが可能であり得る。
【０１４８】
ネットワーク通信マネージャ1345は、(たとえば、1つまたは複数のワイヤードバックホールリンクを介して)CNとの通信を管理し得る。たとえば、ネットワーク通信マネージャ1345は、1つまたは複数のUE115などのクライアントデバイスのためのデータ通信の転送を管理し得る。
【０１４９】
図14は、本開示の1つまたは複数の態様による、ネットワーク支援マルチサブスクリプション物理レイヤ共有のための方法1400を示すフローチャートを示す。方法1400の動作は、本明細書に記載するように、UE115またはそのコンポーネントによって実装され得る。たとえば、方法1400の動作は、図6〜図9を参照して説明したように、UE通信マネージャによって実施され得る。いくつかの例では、UE115は、以下で説明される機能を実施するようにデバイスの機能要素を制御するためのコードのセットを実行し得る。追加または代替として、UE115は、専用ハードウェアを使用して、以下で説明される機能の態様を実施し得る。
【０１５０】
ブロック1405において、UE115は、マルチサブスクリプション調整能力をネットワークに送信し得る。ブロック1405の動作は、図6〜図9を参照して説明した方法に従って実施され得る。いくつかの例では、ブロック1405の動作の態様は、図6〜図9を参照して説明したように、共有能力コンポーネントによって実施されてよい。
【０１５１】
ブロック1410において、UE115は、マルチサブスクリプション調整能力に基づいて、ネットワークとの、第1のサブスクリプション用のリンクを確立することができる。いくつかのケースでは、マルチサブスクリプション調整能力は、送信された物理レイヤ共有能力指示および送信されたマルチサブスクリプション調整能力に基づいて、並行してアクティブ状態にあるという、UEの能力を示し得る。ブロック1410の動作は、図6〜図9を参照して説明した方法に従って実施され得る。いくつかの例では、ブロック1410の動作の態様は、図7〜図8を参照して説明されたように、マルチサブスクリプションコンポーネントによって実施され得る。
【０１５２】
ブロック1415において、UE115は、マルチサブスクリプション調整能力に基づき、リンクを使って、ネットワークとの第2のサブスクリプションを確立することができる。いくつかのケースでは、第1のサブスクリプションは第2のサブスクリプションに関連付けられる。ブロック1415の動作は、図6〜図9を参照して説明した方法に従って実施され得る。いくつかの例では、ブロック1415の動作の態様は、図7〜図8を参照して説明されたように、マルチサブスクリプションコンポーネントによって実施され得る。
【０１５３】
図15は、本開示の1つまたは複数の態様による、ネットワーク支援マルチサブスクリプション物理レイヤ共有のための方法1500を示すフローチャートを示す。方法1500の動作は、本明細書に記載するように、UE115またはそのコンポーネントによって実装され得る。たとえば、方法1500の動作は、図6〜図9を参照して説明したように、UE通信マネージャによって実施され得る。いくつかの例では、UE115は、以下で説明される機能を実施するようにデバイスの機能要素を制御するためのコードのセットを実行し得る。追加または代替として、UE115は、専用ハードウェアを使用して、以下で説明される機能の態様を実施し得る。
【０１５４】
ブロック1505において、UE115は、少なくとも2つのSIMの第1のサブスクリプションがRRC接続済み状態にあると判断し得る。ブロック1505の動作は、図6〜図9を参照して説明した方法に従って実施され得る。いくつかの例では、ブロック1505の動作の態様は、図8を参照して説明されたように、状態コンポーネントによって実施され得る。
【０１５５】
ブロック1510において、UE115は、少なくとも2つのSIMの第2のサブスクリプションがRRCアイドル状態にあると判断し得る。ブロック1510の動作は、図6〜図9を参照して説明した方法に従って実施され得る。いくつかの例では、ブロック1510の動作の態様は、図8を参照して説明されたように、状態コンポーネントによって実施され得る。
【０１５６】
ブロック1515において、UE115は、マルチサブスクリプション調整能力に基づいて、第1のサブスクリプションの第1のサービングセルを識別し得る。ブロック1515の動作は、図6〜図9を参照して説明した方法に従って実施され得る。いくつかの例では、ブロック1515の動作の態様は、図7〜図8を参照して説明されたように、マルチサブスクリプションコンポーネントによって実施され得る。
【０１５７】
ブロック1520において、UE115は、マルチサブスクリプション調整能力に基づいて、第2のサブスクリプションの第2のサービングセルを識別し得る。ブロック1520の動作は、図6〜図9を参照して説明した方法に従って実施され得る。いくつかの例では、ブロック1520の動作の態様は、図7〜図8を参照して説明されたように、マルチサブスクリプションコンポーネントによって実施され得る。
【０１５８】
ブロック1525において、UE115は、第1のサブスクリプションの第1のサービングセルが第2のサブスクリプションの第2のサービングセルとは異なると判断し得る。ブロック1525の動作は、図6〜図9を参照して説明した方法に従って実施され得る。いくつかの例では、ブロック1525の動作の態様は、図7〜図8を参照して説明されたように、マルチサブスクリプションコンポーネントによって実施され得る。
【０１５９】
ブロック1530において、UE115は、判断したことに基づいて、第2のサブスクリプション用に、第1のサービングセルへのセル再選択をトリガし得る。ブロック1530の動作は、図6〜図9を参照して説明した方法に従って実施され得る。いくつかの例では、ブロック1530の動作の態様は、図8を参照して説明されたように、セル再選択コンポーネントによって実施され得る。
【０１６０】
ブロック1535において、UE115は、セル再選択に基づいて、第2のサブスクリプション用のRRC接続を開始し得る。ブロック1535の動作は、図6〜図9を参照して説明した方法に従って実施され得る。いくつかの例では、ブロック1535の動作の態様は、図8を参照して説明されたように、セル再選択コンポーネントによって実施され得る。
【０１６１】
ブロック1540において、UE115は、第2のサブスクリプションに関連付けられたサブスクリプション関連付け情報をネットワーク(たとえば、CN130)に送信し得る。ブロック1540の動作は、図6〜図9を参照して説明した方法に従って実施され得る。いくつかの例では、ブロック1540の動作の態様は、図8を参照して説明されたように、セル再選択コンポーネントによって実施され得る。
【０１６２】
図16は、本開示の1つまたは複数の態様による、ネットワーク支援マルチサブスクリプション物理レイヤ共有のための方法1600を示すフローチャートを示す。方法1600の動作は、本明細書に記載するように、UE115またはそのコンポーネントによって実装され得る。たとえば、方法1600の動作は、図6〜図9を参照して説明したように、UE通信マネージャによって実施され得る。いくつかの例では、UE115は、以下で説明される機能を実施するようにデバイスの機能要素を制御するためのコードのセットを実行し得る。追加または代替として、UE115は、専用ハードウェアを使用して、以下で説明される機能の態様を実施し得る。
【０１６３】
ブロック1605において、UE115は、第1のサブスクリプションと第1のサービングセルとの間の通信リンクを確立することができる。いくつかのケースでは、UE115は、少なくとも2つのSIMを有するマルチサブスクリプション契約SIMを含み得る。ブロック1605の動作は、図6〜図9を参照して説明した方法に従って実施され得る。いくつかの例では、ブロック1605の動作の態様は、図7〜図8を参照して説明されたように、マルチサブスクリプションコンポーネントによって実施され得る。
【０１６４】
ブロック1610において、UE115は、確立したことに基づいて、第1のサービングセルの第1のRNTIを割り当てることができる。ブロック1610の動作は、図6〜図9を参照して説明した方法に従って実施され得る。いくつかの例では、ブロック1610の動作の態様は、図8を参照して説明されたように、無線ネットワーク一時識別器によって実施され得る。
【０１６５】
ブロック1615において、UE115は、第2のサブスクリプションのサービングセルが第1のサービングセルとは異なると判断し得る。ブロック1615の動作は、図6〜図9を参照して説明した方法に従って実施され得る。いくつかの例では、ブロック1615の動作の態様は、図7〜図8を参照して説明されたように、マルチサブスクリプションコンポーネントによって実施され得る。
【０１６６】
ブロック1620において、UE115は、第2のサブスクリプションと第1のサービングセルとの間のRRC接続セットアップフェーズを開始してよい。ブロック1620の動作は、図6〜図9を参照して説明した方法に従って実施され得る。いくつかの例では、ブロック1620の動作の態様は、図8を参照して説明されたように、セル再選択コンポーネントによって実施され得る。
【０１６７】
ブロック1625において、UE115は、第2のサブスクリプションに第2のRNTIを割り当ててよい。ブロック1625の動作は、図6〜図9を参照して説明した方法に従って実施され得る。いくつかの例では、ブロック1625の動作の態様は、図8を参照して説明されたように、無線ネットワーク一時識別器によって実施され得る。
【０１６８】
ブロック1630において、UE115は、第1のサブスクリプションと第2のサブスクリプションとの間のサブスクリプション関連付け情報を第1のサービングセルに送信し得る。ブロック1630の動作は、図6〜図9を参照して説明した方法に従って実施され得る。いくつかの例では、ブロック1630の動作の態様は、図6、図7、および図9を参照して説明されたように、送信機によって実施され得る。
【０１６９】
ブロック1635において、UE115は、第1のサービングセルからRRC接続再構成メッセージを受信し得る。ブロック1635の動作は、図6〜図9を参照して説明した方法に従って実施され得る。いくつかの例では、ブロック1635の動作の態様は、図6、図7、および図9を参照して説明されたように、受信機によって実施され得る。
【０１７０】
図17は、本開示の1つまたは複数の態様による、ネットワーク支援マルチサブスクリプション物理レイヤ共有のための方法1700を示すフローチャートを示す。方法1700の動作は、本明細書に記載するように、UE115またはそのコンポーネントによって実装され得る。たとえば、方法1700の動作は、図6〜図9を参照して説明したように、UE通信マネージャによって実施され得る。いくつかの例では、UE115は、以下で説明される機能を実施するようにデバイスの機能要素を制御するためのコードのセットを実行し得る。追加または代替として、UE115は、専用ハードウェアを使用して、以下で説明される機能の態様を実施し得る。
【０１７１】
ブロック1705において、UE115は、2つのSIMの少なくとも1つのサブスクリプションを使って、RLF測定を実施することができる。いくつかのケースでは、UE115は、少なくとも2つのSIMを有するマルチサブスクリプション契約SIMを含み得る。ブロック1705の動作は、図6〜図9を参照して説明した方法に従って実施され得る。いくつかの例では、ブロック1705の動作の態様は、図8を参照しながら説明したように、無線リンク障害コンポーネントによって実施され得る。
【０１７２】
ブロック1710において、UE115は、実施されたRLF測定に基づいてRLFを検出することができる。ブロック1710の動作は、図6〜図9を参照して説明した方法に従って実施され得る。いくつかの例では、ブロック1710の動作の態様は、図8を参照しながら説明したように、無線リンク障害コンポーネントによって実施され得る。
【０１７３】
ブロック1715において、UE115は、検出されたRLFに基づいて、2つのSIMに関連付けられた少なくとも1つのサブスクリプションの各々に対してRLF回復を実施し得る。ブロック1715の動作は、図6〜図9を参照して説明した方法に従って実施され得る。いくつかの例では、ブロック1715の動作の態様は、図8を参照しながら説明したように、無線リンク障害コンポーネントによって実施され得る。
【０１７４】
図18は、本開示の1つまたは複数の態様による、ネットワーク支援マルチサブスクリプション物理レイヤ共有のための方法1800を示すフローチャートを示す。方法1800の動作は、本明細書に記載するように、UE115またはそのコンポーネントによって実装され得る。たとえば、方法1800の動作は、図6〜図9を参照して説明したように、UE通信マネージャによって実施され得る。いくつかの例では、UE115は、以下で説明される機能を実施するようにデバイスの機能要素を制御するためのコードのセットを実行し得る。追加または代替として、UE115は、専用ハードウェアを使用して、以下で説明される機能の態様を実施し得る。
【０１７５】
ブロック1805において、UE115は、同じTTI中の、少なくとも2つのSIMの各SIMに関連付けられた少なくとも1つのサブスクリプションのデータまたは制御情報の並行送信を判断し得る。いくつかのケースでは、UE115は、少なくとも2つのSIMを有するSIMを含み得る。いくつかの例では、少なくとも2つのSIMの各々は、少なくとも1つのサブスクリプションに関連付けられ得る。ブロック1805の動作は、図6〜図9を参照して説明した方法に従って実施され得る。いくつかの例では、ブロック1805の動作の態様は、図8を参照して説明されたように、電力レベルコンポーネントによって実施され得る。
【０１７６】
ブロック1810において、UE115は、判断したことに基づいて、UEの電力レベルを構成することができる。ブロック1810の動作は、図6〜図9を参照して説明した方法に従って実施され得る。いくつかの例では、ブロック1810の動作の態様は、図8を参照して説明されたように、電力レベルコンポーネントによって実施され得る。
【０１７７】
ブロック1815において、UE115は、少なくとも2つのSIMの各SIMに関連付けられた少なくとも1つのサブスクリプションに、送信電力レベルを比例配分してもよい。ブロック1815の動作は、図6〜図9を参照して説明した方法に従って実施され得る。いくつかの例では、ブロック1815の動作の態様は、図8を参照して説明されたように、電力レベルコンポーネントによって実施され得る。
【０１７８】
図19は、本開示の1つまたは複数の態様による、ネットワーク支援マルチサブスクリプション物理レイヤ共有のための方法1900を示すフローチャートを示す。方法1900の動作は、本明細書で説明するように、基地局105またはそのコンポーネントによって実施され得る。たとえば、方法1900の動作は、図10〜図13を参照して説明されたように、基地局通信マネージャによって実施され得る。いくつかの例では、基地局105は、以下で説明される機能を実施するようにデバイスの機能要素を制御するためのコードのセットを実行し得る。追加または代替として、基地局105は、専用ハードウェアを使用して以下で説明される機能の態様を実施し得る。
【０１７９】
ブロック1905において、基地局105は、物理レイヤ共有能力指示をUEから受信し得る。ブロック1905の動作は、図10〜図13を参照して説明した方法に従って実施され得る。いくつかの例では、ブロック1905の動作の態様は、図11〜図12を参照して説明したように、共有能力コンポーネントによって実施されてよい。
【０１８０】
ブロック1910において、基地局105は、マルチサブスクリプション調整能力をUEから受信し得る。ブロック1910の動作は、図11〜図12を参照して説明した方法に従って実施され得る。いくつかの例では、ブロック1910の動作の態様は、図11〜図12を参照して説明されたように、マルチサブスクリプションコンポーネントによって実施され得る。
【０１８１】
図20は、本開示の1つまたは複数の態様による、ネットワーク支援マルチサブスクリプション物理レイヤ共有のための方法2000を示すフローチャートを示す。方法2000の動作は、本明細書で説明するように、基地局105またはそのコンポーネントによって実施され得る。たとえば、方法2000の動作は、図10〜図13を参照して説明されたように、基地局通信マネージャによって実施され得る。いくつかの例では、基地局105は、以下で説明される機能を実施するようにデバイスの機能要素を制御するためのコードのセットを実行し得る。追加または代替として、基地局105は、専用ハードウェアを使用して以下で説明される機能の態様を実施し得る。
【０１８２】
ブロック2005において、基地局105は、物理レイヤ共有能力指示をUEから受信し得る。ブロック2005の動作は、図10〜図13を参照して説明した方法に従って実施され得る。いくつかの例では、ブロック2005の動作の態様は、図11〜図12を参照して説明したように、共有能力コンポーネントによって実施されてよい。
【０１８３】
ブロック2010において、基地局105は、マルチサブスクリプション調整能力をUEから受信し得る。ブロック2010の動作は、図10〜図13を参照して説明した方法に従って実施され得る。いくつかの例では、ブロック2010の動作の態様は、図11〜図12を参照して説明されたように、マルチサブスクリプションコンポーネントによって実施され得る。
【０１８４】
ブロック2015において、基地局105は、第1のサブスクリプションから、UEに関連付けられたアイデンティティ情報を受信し得る。ブロック2015の動作は、図10〜図13を参照して説明した方法に従って実施され得る。いくつかの例では、ブロック2015の動作の態様は、図10、図11、および図13を参照して説明されたように、受信機によって実施され得る。
【０１８５】
ブロック2020において、基地局105は、第2のサブスクリプションから、UEに関連付けられたアイデンティティ情報を受信し得る。ブロック2020の動作は、図10〜図13を参照して説明した方法に従って実施され得る。いくつかの例では、ブロック2020の動作の態様は、図10、図11、および図13を参照して説明されたように、受信機によって実施され得る。
【０１８６】
ブロック2025において、基地局105は、第1のサブスクリプションおよび第2のサブスクリプションから受信されたアイデンティティ情報を比較してもよい。ブロック2025の動作は、図10〜図13を参照して説明した方法に従って実施され得る。いくつかの例では、ブロック2025の動作の態様は、図12を参照して説明されたように、検証コンポーネントによって実施され得る。
【０１８７】
ブロック2030において、基地局105は、比較に基づいてアイデンティティ情報を検証してよい。ブロック2030の動作は、図10〜図13を参照して説明した方法に従って実施され得る。いくつかの例では、ブロック2030の動作の態様は、図12を参照して説明されたように、検証コンポーネントによって実施され得る。
【０１８８】
図21は、本開示の1つまたは複数の態様による、ネットワーク支援マルチサブスクリプション物理レイヤ共有のための方法2100を示すフローチャートを示す。方法2100の動作は、本明細書で説明するように、基地局105またはそのコンポーネントによって実施され得る。たとえば、方法2100の動作は、図10〜図13を参照して説明されたように、基地局通信マネージャによって実施され得る。いくつかの例では、基地局105は、以下で説明される機能を実施するようにデバイスの機能要素を制御するためのコードのセットを実行し得る。追加または代替として、基地局105は、専用ハードウェアを使用して以下で説明される機能の態様を実施し得る。
【０１８９】
ブロック2105において、基地局105は、物理レイヤ共有能力指示をUEから受信し得る。ブロック2105の動作は、図10〜図13を参照して説明した方法に従って実施され得る。いくつかの例では、ブロック2105の動作の態様は、図11〜図12を参照して説明したように、共有能力コンポーネントによって実施されてよい。
【０１９０】
ブロック2110において、基地局105は、マルチサブスクリプション調整能力をUEから受信し得る。ブロック2110の動作は、図10〜図13を参照して説明した方法に従って実施され得る。いくつかの例では、ブロック2110の動作の態様は、図11〜図12を参照して説明されたように、マルチサブスクリプションコンポーネントによって実施され得る。
【０１９１】
ブロック2115において、基地局105は、少なくとも2つのSIMの第1のサブスクリプションが第1のサービングセルと接続されると判断し得る。ブロック2115の動作は、図10〜図13を参照して説明した方法に従って実施され得る。いくつかの例では、ブロック2115の動作の態様は、図12を参照して説明されたように、セル識別コンポーネントによって実施され得る。
【０１９２】
ブロック2120において、基地局105は、少なくとも2つのSIMの第2のサブスクリプションが第2のサービングセルと接続されると判断し得る。ブロック2120の動作は、図10〜図13を参照して説明した方法に従って実施され得る。いくつかの例では、ブロック2120の動作の態様は、図12を参照して説明されたように、セル識別コンポーネントによって実施され得る。
【０１９３】
ブロック2125において、基地局105は、第1のサービングセルと第2のサービングセルが異なると判断し得る。ブロック2125の動作は、図10〜図13を参照して説明した方法に従って実施され得る。いくつかの例では、ブロック2125の動作の態様は、図12を参照して説明されたように、セル識別コンポーネントによって実施され得る。
【０１９４】
ブロック2130において、基地局105は、異なると判断したことに基づいて、第2のサブスクリプション用に、第1のサービングセルへのセル再選択をトリガし得る。ブロック2130の動作は、図10〜図13を参照して説明した方法に従って実施され得る。いくつかの例では、ブロック2130の動作の態様は、図12を参照して説明されたように、セル再選択コンポーネントによって実施され得る。
【０１９５】
上で説明された方法は、可能な実装形態を説明しており、動作は、並べ替えられるか、または他の方法で修正されてもよく、他の実装形態が可能であることに留意されたい。さらに、方法のうちの2つ以上からの態様が組み合わされ得る。
【０１９６】
本明細書で説明した技法は、CDMA、TDMA、FDMA、OFDMA、シングルキャリア周波数分割多元接続(SC-FDMA)、および他のシステムなどの、様々なワイヤレス通信システムのために使用されてよい。「システム」および「ネットワーク」という用語は、しばしば、互換的に使用される。CDMAシステムは、CDMA2000、ユニバーサル地上波無線アクセス(UTRA)などの無線技術を実装してよい。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、高レートパケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))のような無線技術を実装し得る。
【０１９７】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションズシステム(UMTS)の一部である。3GPP LTEおよびLTEアドバンスト(LTE-A)は、E-UTRAを使用するユニバーサルモバイルテレコミュニケーションズシステム(UMTS)のリリースである。UTRA、E-UTRA、UMTS、LTE、LTE-A、NR、およびモバイル通信用グローバルシステム(GSM(登録商標))は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述されたシステムおよび無線技術ならびに他のシステムおよび無線技術に使用される場合がある。LTEシステムまたはNRシステムの態様が例として説明されることがあり、説明の大部分においてLTE用語またはNR用語が使用されることがあるが、本明細書で説明される技法はLTE適用例またはNR適用例以外に適用可能である。
【０１９８】
本明細書で説明したそのようなネットワークを含むLTE/LTE-Aネットワークでは、発展型ノードB(eNB)という用語は、一般に、基地局を表すために使用され得る。本明細書で説明する1つまたは複数のワイヤレス通信システムは、異なるタイプの発展型ノードB(eNB)が様々な地理的領域にカバレージを提供する、異種LTE/LTE-AまたはNRネットワークを含み得る。たとえば、各eNB、次世代ノードB(gNB)、または基地局は、マクロセル、スモールセル、または他のタイプのセルに通信カバレージを提供することができる。「セル」という用語は、文脈に応じて、基地局、基地局に関連付けられたキャリアもしくはコンポーネントキャリア、またはキャリアもしくは基地局のカバレージエリア(たとえば、セクタなど)を記述するために使用されてもよい。
【０１９９】
基地局は、基地トランシーバ局、無線基地局、アクセスポイント、無線トランシーバ、ノードB、eNB、gNB、ホームノードB、ホームeノードB、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される1つまたは複数のワイヤレス通信システムは、異なるタイプの基地局(たとえば、マクロ基地局またはスモールセル基地局)を含み得る。本明細書で説明したUEは、マクロeNB、スモールセルeNB、gNB、中継基地局などを含む、様々なタイプの基地局およびネットワーク機器と通信することが可能であり得る。異なる技術に対して重複する地理的カバレージエリアがあり得る。
【０２００】
マクロセルは、一般に、比較的大きい地理的エリア(たとえば、半径数キロメートル)をカバーし、ネットワークプロバイダのサービスに加入しているUEによる無制限アクセスを可能にすることができる。スモールセルは、マクロセルと比較して、同じまたは異なる(たとえば、認可、無認可などの)周波数帯域内でマクロセルとして動作し得る低電力基地局である。スモールセルは、様々な例による、ピコセル、フェムトセル、およびマイクロセルを含み得る。ピコセルは、たとえば、小さい地理的エリアをカバーすることができ、ネットワークプロバイダのサービスに加入しているUEによる無制限アクセスを可能にすることができる。フェムトセルも、小さい地理的エリア(たとえば、自宅)をカバーすることができ、フェムトセルとの関連性を有するUE(たとえば、クローズドサブスクライバグループ(CSG)内のUE、自宅内のユーザ用のUE、など)による制限付きアクセスを提供することができる。マクロセル用のeNBは、マクロeNBと呼ばれる場合がある。スモールセル用のeNBは、スモールセルeNB、ピコeNB、フェムトeNB、またはホームeNBと呼ばれる場合がある。eNBは、1つまたは複数の(たとえば、2つ、3つ、4つなどの)セル(たとえば、コンポーネントキャリア)をサポートすることができる。
【０２０１】
本明細書で説明する単一または複数のワイヤレス通信システムは、同期動作または非同期動作をサポートし得る。同期動作の場合、基地局は、類似のフレームタイミングを有してよく、異なる基地局からの送信は、時間的にほぼ整合され得る。非同期動作の場合、基地局は、異なるフレームタイミングを有することがあり、異なる基地局からの送信は、時間的に整合されないことがある。本明細書で説明される技法は、同期動作または非同期動作のいずれでも使用され得る。
【０２０２】
本明細書で説明したダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明する各通信リンクは、1つまたは複数のキャリアを含んでよく、各キャリアは、複数のサブキャリア(たとえば、異なる周波数の波形信号)から構成される信号であり得る。
【０２０３】
添付の図面に関して本明細書に記載した説明は、例示的な構成を表すものであり、実装される場合があるかまたは特許請求の範囲内にあるすべての例を表すものではない。本明細書で使用される「例示的」という用語は、「例、事例、または例示として働く」ことを意味し、「好ましい」または「他の例よりも有利な」を意味するものではない。詳細な説明は、説明された技法を理解することを目的とした具体的な詳細を含む。ただし、これらの技法は、これらの具体的な詳細なしに実践され得る。いくつかの事例では、説明された例の概念を不明瞭にすることを回避するために、よく知られている構造およびデバイスがブロック図の形態で示される。
【０２０４】
添付の図では、同様のコンポーネントまたは特徴は、同じ参照ラベルを有する場合がある。さらに、同じタイプの様々なコンポーネントは、参照ラベルの後にダッシュと、同様のコンポーネントを区別する第2のラベルとを続けることによって区別される場合がある。第1の参照ラベルのみが本明細書で使用される場合、説明は、第2の参照ラベルにかかわらず、同じ第1の参照ラベルを有する同様のコンポーネントのうちのいずれにも適用可能である。
【０２０５】
本明細書で説明した情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２０６】
本明細書の本開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェアコンポーネント、または本明細書で説明する機能を実施するように設計されたそれらの任意の組合せを用いて実装または実施され得る。汎用プロセッサはマイクロプロセッサであってよいが、代替として、プロセッサは、任意の従来型プロセッサ、コントローラ、マイクロコントローラ、またはステートマシンであってもよい。プロセッサは、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０２０７】
本明細書で説明した機能は、ハードウェア、プロセッサによって実行されるソフトウェア、ファームウェア、またはそれらの組合せで実装され得る。プロセッサによって実行されるソフトウェアで実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理的ロケーションにおいて機能の部分が実装されるように分散されることを含めて、様々な位置に物理的に配置されてよい。また、特許請求の範囲内を含めて本明細書で使用する場合、項目のリスト(たとえば、「のうちの少なくとも1つ」または「のうちの1つまたは複数」などの句が後置される項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」と記載される例示的な動作は、本開示の範囲から逸脱することなく、条件Aと条件Bの両方に基づいてよい。言い換えれば、本明細書で使用する「に基づいて」という句は、「に少なくとも部分的に基づいて」という句と同じように解釈されるものとする。
【０２０８】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され得、汎用コンピュータもしくは専用コンピュータまたは汎用プロセッサもしくは専用プロセッサによってアクセスされ得る任意の他の非一時的媒体を備え得る。また、任意の接続が、適正にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０２０９】
本明細書における説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書に記載された例および設計に限定されず、本明細書で開示された原理および新規の特徴と一致する最も広い範囲を与えられるべきである。
【符号の説明】
【０２１０】
100  ワイヤレス通信システム
101  ネットワーク通信マネージャ
102  UE通信マネージャ
105  ネットワークアクセスデバイス
105-a  gNB
105-b  アクセスノードコントローラ(ANC)、アクセスネットワークエンティティ、基地局
105-c  スマート無線ヘッド(無線ヘッド)、アクセスネットワークエンティティ、基地局
105-d  基地局
115  UE
115-a  UE
115-b  UE
115-c  UE
115-d  UE
115-e  UE
115-f  UE
125  通信リンク
130  CN
132  バックホールリンク
134  バックホールリンク
200  ワイヤレス通信システム
201  ネットワーク通信マネージャ
202  UE通信マネージャ
203  UE通信マネージャ
210  通信リンク
300  ワイヤレス通信システム
310  第1のSIM
310-a  第1のSIM
315  第2のSIM
315-a  第2のSIM
320  共通通信リンク、非依存通信リンク
325  RAN
325-a  RAN
330  通信リンク
335  CCNF/AMF
335-a  CCNF/AMF
335-b  CCNF/AMF
340  通信リンク、非依存通信リンク
345  データコアネットワーク(DCN)
345-a  DCN
350  通信リンク、非依存通信リンク
355  DCN
355-a  DCN
410  第1のSIM
415  第2のSIM
510  第1のSIM
515  第2のSIM
605  ワイヤレスデバイス
610  受信機
615  UE通信マネージャ
620  送信機
705  ワイヤレスデバイス
710  受信機
715  UE通信マネージャ
720  送信機
725  共有能力コンポーネント
730  マルチサブスクリプションコンポーネント
815  UE通信マネージャ
820  共有能力コンポーネント
825  マルチサブスクリプションコンポーネント
830  関連付けコンポーネント
835  状態コンポーネント
840  セル再選択コンポーネント
845  無線ネットワーク一時識別器
850  セル識別コンポーネント
855  無線リンク障害コンポーネント
860  測定レポートコンポーネント
865  電力レベルコンポーネント
870  ネットワークスライスコンポーネント
905  デバイス
910  バス
915  UE通信マネージャ
920  プロセッサ
925  メモリ
930  ソフトウェア、コンピュータ可読コンピュータ実行可能ソフトウェア
935  トランシーバ
940  アンテナ
945  I/Oコントローラ
1005  ワイヤレスデバイス
1010  受信機
1015  基地局通信マネージャ
1020  送信機
1105  ワイヤレスデバイス
1110  受信機
1115  基地局通信マネージャ
1120  送信機
1125  共有能力コンポーネント
1130  マルチサブスクリプションコンポーネント
1215  基地局通信マネージャ
1220  共有能力コンポーネント
1225  マルチサブスクリプションコンポーネント
1230  構成コンポーネント
1235  検証コンポーネント
1240  セル識別コンポーネント
1245  セル再選択コンポーネント
1305  デバイス
1310  バス
1315  基地局通信マネージャ
1320  プロセッサ
1325  メモリ
1330  ソフトウェア、コンピュータ可読コンピュータ実行可能ソフトウェア
1335  トランシーバ
1340  アンテナ
1345  ネットワーク通信マネージャ
【図１】
0006928098.tif 000002
【図２】
0006928098.tif 000003
【図３Ａ】
0006928098.tif 000004
【図３Ｂ】
0006928098.tif 000005
【図４】
0006928098.tif 000006
【図５】
0006928098.tif 000007
【図６】
0006928098.tif 000008
【図７】
0006928098.tif 000009
【図８】
0006928098.tif 000010
【図９】
0006928098.tif 000011
【図１０】
0006928098.tif 000012
【図１１】
0006928098.tif 000013
【図１２】
0006928098.tif 000014
【図１３】
0006928098.tif 000015
【図１４】
0006928098.tif 000016
【図１５】
0006928098.tif 000017
【図１６】
0006928098.tif 000018
【図１７】
0006928098.tif 000019
【図１８】
0006928098.tif 000020
【図１９】
0006928098.tif 000021
【図２０】
0006928098.tif 000022
【図２１】
0006928098.tif 000023